(57)【要約】第１の制御情報が送信される第１の制御チャネルのＭ個（Ｍは２以上の整数）の単位リソースを基本リソースとし、前記基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、割り当てた第１の制御情報を前記移動局に送信する第１の制御情報送信手段とを有する基地局と、第１の制御情報を受信し、第１の制御情報と対応付けられた第２の制御チャネルのリソースを用いて第２の制御情報を送信する第２の制御情報送信手段を有する移動局とを有する通信システムである。
2009022565.tif 000002
【特許請求の範囲】
【請求項１】
第１の制御情報が送信される第１の制御チャネルのＭ個（Ｍは２以上の整数）の単位リソースを基本リソースとし、前記基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、
前記割り当てた第１の制御情報を前記移動局に送信する第１の制御情報送信手段と
を有する基地局と、
前記第１の制御情報を受信し、前記第１の制御情報と対応付けられた第２の制御チャネルのリソースを用いて前記第２の制御情報を送信する第２の制御情報送信手段を
有する移動局と
を有することを特徴とする通信システム。
【請求項２】
前記第１の制御チャネルがPDCCH(Physical Downlink Control Channel)であり、前記第１の制御チャネルの単位リソースがCCE(Control Channel Element)であり、前記第１の制御情報がDownlink grantであり、前記第２の制御チャネルがPUCCH(Physical Uplink Control Channel)であり、前記第２の制御情報がACK(Acknowledgement)又はNACK(Negative Acknowledgement)であることを特徴とする請求項１に記載の通信システム。
【請求項３】
前記リソース割当手段は、第１の制御情報を送信するのに用いられる単位リソースの個数うち、最大の個数をＭに設定することを特徴とする請求項１又は請求項２に記載の通信方法。
【請求項４】
前記リソース割当手段は、第１の制御情報を送信するのに用いられる単位リソースの個数うち、最小の個数にＭを設定することを特徴とする請求項１又は請求項２に記載の通信システム。
【請求項５】
前記リソース割当手段は、第１の制御情報を送信するのに用いられる単位リソースの個数に応じてＭを規則的に変化させることを特徴とする請求項１又は請求項２に記載の通信システム。
【請求項６】
前記リソース割当手段は、第２の制御チャネルを用いて第２の制御情報を送信する移動局を、優先的に第１の制御チャネルに割り当てることを特徴とする請求項１から請求項５のいずれかに記載の通信システム。
【請求項７】
前記リソース割当手段は、第１の制御情報を受信する移動局のうち、前記第１の制御情報を送信するに用いられる単位リソース数がＭである移動局を、優先的に第１の制御チャネルに割り当てることを特徴とする請求項１から請求項６のいずれかに記載の通信システム。
【請求項８】
前記リソース割当手段は、前記第１の制御情報と対応付けられた前記第２の制御ャネルのリソースを用いない移動局に、前記第１の制御情報を送信するのに用いられなかった第１の制御ャネルの単位リソースを割り当てることを特徴とする請求項１から請求項７のいずれかに記載の通信システム。
【請求項９】
前記リソース割当手段は、前記第１の制御情報と対応付けられた前記第２の制御ャネルのリソースを用いない移動局に、前記第１の制御情報と対応付けられない第２の制御チャネルのリソースを割り当てることを特徴とする請求項１から請求項８のいずれかに記載の通信システム。
【請求項１０】
前記基地局及び前記移動局は、前記基本リソース又は前記基本リソースを構成する単位リソースの識別情報と、前記第２の制御チャンネルのリソースの識別情報との対応関係に関する対応関係情報を有し、
前記基地局のリソース割当手段は、前記対応関係情報に基づいて、前記第１の制御情報と前記第２の制御チャネルのリソースとを対応づけ、
前記移動局の第２の制御情報送信手段は、受信した第１の制御情報の送信に用いられた基本リソース又は前記基本リソースを構成する単位リソースの識別情報と、前記対応関係情報とに基づいて、前記受信した第１の制御情報に対応する第２の制御チャネルのリソースを判断する
ことを特徴とする請求項１から請求項９のいずれかに記載の通信システム。
【請求項１１】
第１の制御情報が送信される第１の制御チャネルのＭ個（Ｍは２以上の整数）の単位リソースを基本リソースとし、前記基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、
前記割り当てた第１の制御情報を前記移動局に送信する第１の制御情報送信手段と
を有することを特徴とする基地局。
【請求項１２】
前記第１の制御チャネルがPDCCH(Physical Downlink Control Channel)であり、前記第１の制御チャネルの単位リソースがCCE(Control Channel Element)であり、前記第１の制御情報がDownlink grantであり、前記第２の制御チャネルがPUCCH(Physical Uplink Control Channel)であり、前記第２の制御情報がACK(Acknowledgement)又はNACK(Negative Acknowledgement)であることを特徴とする請求項１１に記載の基地局。
【請求項１３】
前記リソース割当手段は、第１の制御情報を送信するのに用いられる単位リソースの個数うち、最大の個数をＭに設定することを特徴とする請求項１１又は請求項１２に記載の基地局。
【請求項１４】
前記リソース割当手段は、第１の制御情報を送信するのに用いられる単位リソースの個数うち、最小の個数にＭを設定することを特徴とする請求項１１又は請求項１２に記載の基地局。
【請求項１５】
前記リソース割当手段は、第１の制御情報を送信するのに用いられる単位リソースの個数に応じてＭを規則的変化させることを特徴とする請求項１１又は請求項１２に記載の基地局。
【請求項１６】
前記リソース割当手段は、第２の制御チャネルを用いて第２の制御情報を送信する移動局を、優先的に第１の制御チャネルに割り当てることを特徴とする請求項１１から請求項１５のいずれかに記載の基地局。
【請求項１７】
前記リソース割当手段は、第１の制御情報を受信する移動局のうち、前記第１の制御情報を送信するに用いられる単位リソース数がＭである移動局を、優先的に第１の制御チャネルに割り当てることを特徴とする請求項１１から請求項１６のいずれかに記載の基地局。
【請求項１８】
前記リソース割当手段は、前記第１の制御情報と対応付けられた前記第２の制御ャネルのリソースを用いない移動局に、前記第１の制御情報を送信するのに用いられなかった第１の制御ャネルの単位リソースを割り当てることを特徴とする請求項１１から請求項１７のいずれかに記載の基地局。
【請求項１９】
前記リソース割当手段は、前記第１の制御情報と対応付けられた前記第２の制御ャネルのリソースを用いない移動局に、前記第１の制御情報と対応付けられない第２の制御チャネルのリソースを割り当てることを特徴とする請求項１１から請求項１８のいずれかに記載の基地局。
【請求項２０】
前記基地局は、
前記基本リソース又は前記基本リソースを構成する単位リソースの識別情報と、前記第２の制御チャンネルのリソースの識別情報との対応関係に関する対応関係情報を有し、
前記リソース割当手段は、前記対応関係情報に基づいて、前記第１の制御情報と前記第２の制御チャネルのリソースとを対応づける
ことを特徴とする請求項１１から請求項１９のいずれかに記載の基地局。
【請求項２１】
基地局からの第１の制御情報が送信される第１の制御チャネルのＭ個（Ｍは２以上の整数）の単位リソースを基本リソースとし、前記基本リソースと第２の制御情報が送信される第２の制御チャネルのリソースとが対応付けられ、前記基本リソースの少なくとも一部を用いて送信されてくる第１の制御情報を受信し、受信した第１の制御情報と対応する第２の制御チャネルのリソースを用いて、第２の制御情報を送信する移動局であって、
前記基本リソース又は前記基本リソースを構成する単位リソースと、第２の制御情報を送信する第２の制御チャネルのリソースとの対応関係の情報である対応関係情報と、
受信した第１の制御情報の基本リソース又は前記基本リソースを構成する単位リソースの情報と、前記対応関係情報とに基づいて、前記受信した第１の制御情報と対応する第２の制御チャネルのリソースを判断する制御情報送信手段と
を有することを特徴とする移動局。
【請求項２２】
前記第１の制御チャネルがPDCCH(Physical Downlink Control Channel)であり、前記第１の制御チャネルの単位リソースがCCE(Control Channel Element)であり、前記第１の制御情報がDownlink grantであり、前記第２の制御チャネルがPUCCH(Physical Uplink Control Channel)であり、前記第２の制御情報がACK(Acknowledgement)又はNACK(Negative Acknowledgement)であることを特徴とする請求項２１に記載の移動局。
【請求項２３】
前記Ｍが、第１の制御情報を送信するのに用いられる単位リソースの個数うち、最大の個数であることを特徴とする請求項２１又は請求項２２に記載の移動局。
【請求項２４】
前記Ｍが、第１の制御情報を送信するのに用いられる単位リソースの個数うち、最小の個数であることを特徴とする請求項２１又は請求項２２に記載の移動局。
【請求項２５】
前記Ｍが、第１の制御情報を送信するのに用いられる単位リソースの個数に応じて、規則的に変化することを特徴とする請求項２１又は請求項２２に記載の移動局。
【請求項２６】
第１の制御情報が送信される第１の制御チャネルのＭ個（Ｍは２以上の整数）の単位リソースを基本リソースとし、前記基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当処理と、
前記割り当てた第１の制御情報を前記移動局に送信する第１の制御情報送信処理と
を基地局に実行させることを特徴とするプログラム。
【請求項２７】
前記第１の制御チャネルがPDCCH(Physical Downlink Control Channel)であり、前記第１の制御チャネルの単位リソースがCCE(Control Channel Element)であり、前記第１の制御情報がDownlink grantであり、前記第２の制御チャネルがPUCCH(Physical Uplink Control Channel)であり、前記第２の制御情報がACK(Acknowledgement)又はNACK(Negative Acknowledgement)であることを特徴とする請求項２６に記載のプログラム。
【請求項２８】
前記リソース割当処理は、第１の制御情報を送信するのに用いられる単位リソースの個数うち、最大の個数をＭに設定することを特徴とする請求項２６又は請求項２７に記載のプログラム。
【請求項２９】
前記リソース割当処理は、第１の制御情報を送信するのに用いられる単位リソースの個数うち、最小の個数にＭを設定することを特徴とする請求項２６又は請求項２７に記載のプログラム。
【請求項３０】
前記リソース割当処理は、第１の制御情報を送信するのに用いられる単位リソースの個数に応じてＭを規則的に変化させることを特徴とする請求項２６又は請求項２７に記載のプログラム。
【請求項３１】
前記リソース割当処理は、前記基本リソース又は前記基本リソースを構成する単位リソースの識別情報と、前記第２の制御チャンネルのリソースの識別情報との対応関係に関する対応関係情報に基づいて、前記第１の制御情報と前記第２の制御チャネルのリソースとを対応づける
ことを特徴とする請求項２６から請求項３０のいずれかに記載のプログラム。
【請求項３２】
基地局からの第１の制御情報が送信される第１の制御チャネルのＭ個（Ｍは２以上の整数）の単位リソースを基本リソースとし、前記基本リソースと第２の制御情報が送信される第２の制御チャネルのリソースとが対応付けられ、前記基本リソースの少なくとも一部を用いて送信されてくる第１の制御情報を受信し、受信した第１の制御情報と対応する第２の制御チャネルのリソースを用いて、第２の制御情報を送信する移動局のプログラムであって、
前記基本リソース又は前記基本リソースを構成する単位リソースと、第２の制御情報を送信する第２の制御チャネルのリソースとの対応関係の情報である対応関係情報と、受信した第１の制御情報の基本リソース又は前記基本リソースを構成する単位リソースの情報とに基づいて、前記受信した第１の制御情報と対応する第２の制御チャネルのリソースを判断する制御情報送信処理
を移動局に実行させることを特徴とするプログラム。
【請求項３３】
前記第１の制御チャネルがPDCCH(Physical Downlink Control Channel)であり、前記第１の制御チャネルの単位リソースがCCE(Control Channel Element)であり、前記第１の制御情報がDownlink grantであり、前記第２の制御チャネルがPUCCH(Physical Uplink Control Channel)であり、前記第２の制御情報がACK(Acknowledgement)又はNACK(Negative Acknowledgement)であることを特徴とする請求項３２に記載のプログラム。
【請求項３４】
前記Ｍが、第１の制御情報を送信するのに用いられる単位リソースの個数うち、最大の個数であることを特徴とする請求項３２又は請求項３３に記載のプログラム。
【請求項３５】
前記Ｍが、第１の制御情報を送信するのに用いられる単位リソースの個数うち、最小の個数であることを特徴とする請求項３２又は請求項３３に記載のプログラム。
【請求項３６】
前記Ｍが、第１の制御情報を送信するのに用いられる単位リソースの個数に応じて、規則的に変化することを特徴とする請求項３２又は請求項３３に記載のプログラム。
【請求項３７】
第１の無線局が、第１の制御チャネルの単位リソースを少なくとも１個以上用いて、第１の制御情報を第２の無線局に送信し、
第２の無線局は、第２の制御情報を、前記第１の制御チャネルのＭ個（Ｍは２以上の整数）の単位リソースからなるリソースに対応付けられた第２の制御チャネルのリソースを用いて送信する
ことを特徴とする通信方法。
【請求項３８】
前記第１の制御チャネルがPDCCH(Physical Downlink Control Channel)であり、前記第１の制御チャネルの単位リソースがCCE(Control Channel Element)であり、前記第１の制御情報がDownlink grantであり、前記第２の制御チャネルがPUCCH(Physical Uplink Control Channel)であり、前記第２の制御情報がACK(Acknowledgement)又はNACK(Negative Acknowledgement)であることを特徴とする請求項３７に記載の通信方法。
【請求項３９】
前記Ｍは、第１の制御情報を送信するのに用いられる単位リソースの個数のうち、最大のものであることを特徴とする請求項３７又は請求項３８に記載の通信方法。
【請求項４０】
前記Ｍは、第１の制御情報を送信するのに用いられる単位リソースの個数のうち、最小のものであることを特徴とする請求項３７又は請求項３８に記載の通信方法。
【請求項４１】
前記Ｍを、第１の制御情報を送信するのに用いられる単位リソースの個数に応じて規則的に変化させることを特徴とする請求項３７又は請求項３８に記載の通信方法。
【請求項４２】
前記第１の無線局及び前記第２の無線局は、第１の制御チャネルのリソースの識別情報と、第２の制御チャンネルのリソースとの対応関係に関する対応関係情報を有し、
前記第１の無線局は、前記対応関係情報に基づいて、第２の制御チャネルのリソースを前記第２の無線局に割り当て、
前記第２の無線局は、前記第１の制御情報の送信に用いられたリソースの識別情報と前記対応関係情報とに基づいて、前記第１の無線局が割り当てた第２の制御チャネルのリソースを判断する
ことを特徴とする請求項３７から請求項４１のいずれかに記載の通信方法。
【請求項４３】
移動局と基地局とを有する通信システムの通信方法であって、
基地局は、
第１の制御情報を送信する第１の制御チャネルのＭ個（Ｍは２以上の整数）の単位リソースを基本リソースとし、前記基本リソースと、移動局からの第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けることを特徴とする通信方法。
【請求項４４】
移動局と基地局とを有し、前記基地局からの第１の制御情報が送信される第１の制御チャネルのＭ個（Ｍは２以上の整数）の単位リソースを基本リソースとし、前記基本リソースと第２の制御情報が送信される第２の制御チャネルのリソースとが対応付けられ、前記基本リソースの少なくとも一部を用いて送信されてくる第１の制御情報を受信し、受信した第１の制御情報と対応する第２の制御チャネルのリソースを用いて、第２の制御情報を移動局が送信する通信システムにおける通信方法であって、
移動局は、
前記基本リソース又は前記基本リソースを構成する単位リソースと、第２の制御情報を送信する第２の制御チャネルのリソースとの対応関係の情報である対応関係情報と、受信した第１の制御情報の基本リソース又は前記基本リソースを構成する単位リソースの情報とに基づいて、前記受信した第１の制御情報と対応する第２の制御チャネルのリソースを判断する
ことを特徴とする通信方法。
【請求項４５】
第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、
前記割り当てた第１の制御情報を前記移動局に送信する第１の制御情報送信手段と
を有する基地局と、
前記第１の制御情報を受信し、前記第１の制御情報と対応付けられた第２の制御チャネルのリソースを用いて前記第２の制御情報を送信する第２の制御情報送信手段を
有する移動局と
を有することを特徴とする通信システム。
【請求項４６】
第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、
前記割り当てた第１の制御情報を前記移動局に送信する第１の制御情報送信手段と
を有することを特徴とする基地局。
【請求項４７】
第１の制御情報の複数のサイズに対応する複数の基本リソースを設け、各基本リソースに第２の制御情報が送信される第２の制御チャネルのリソースを対応付け、前記基本リソースの少なくとも一部を用いて、基地局から送信されてくる第１の制御情報を受信し、受信した第１の制御情報と対応する第２の制御チャネルのリソースを用いて、第２の制御情報を送信する移動局であって、
前記基本リソースと、第２の制御情報を送信する第２の制御チャネルのリソースとの対応関係の情報である対応関係情報と、
受信した第１の制御情報の基本リソースの情報と、前記対応関係情報とに基づいて、前記受信した第１の制御情報と対応する第２の制御チャネルのリソースを判断する制御情報送信手段と
を有することを特徴とする移動局。
【請求項４８】
基地局と移動局とを有する通信システムにおける通信方法であって、
基地局は、
第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付け、
前記割り当てた第１の制御情報を前記移動局に送信し、
移動局は、
前記第１の制御情報を受信し、前記第１の制御情報と対応付けられた第２の制御チャネルのリソースを用いて前記第２の制御情報を送信する
ことを特徴とする通信方法。
【請求項４９】
基地局と移動局とを有する通信システムにおける基地局の通信方法であって、
第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付け、
前記割り当てた第１の制御情報を前記移動局に送信する
ことを特徴とする通信方法。
【請求項５０】
第１の制御情報の複数のサイズに対応する複数の基本リソースを設け、各基本リソースに第２の制御情報が送信される第２の制御チャネルのリソースを対応付け、前記基本リソースの少なくとも一部を用いて、基地局から送信されてくる第１の制御情報を受信し、受信した第１の制御情報と対応する第２の制御チャネルのリソースを用いて、第２の制御情報を送信する移動局の通信方法であって、
前記基本リソースと、第２の制御情報を送信する第２の制御チャネルのリソースとの対応関係の情報である対応関係情報と、受信した第１の制御情報の基本リソースの情報とに基づいて、前記受信した第１の制御情報と対応する第２の制御チャネルのリソースを判断する
ことを特徴とする通信方法。
【発明の詳細な説明】
【技術分野】
【０００１】
通信システム、それに用いられる装置及びその方法、プログラムに関し、特に、制御チャンネルのリソースの割り当てに関する。
【背景技術】
【０００２】
移動通信における上りリンクにおいて、上りデータを送信しない端末も下りデータを受信した場合は、下りリンクの情報が誤りなく受信できたか否かを示す肯定応答／否定応答（Acknowledgement/Negative Acknowledgement、以下では「ACK/NACK」と記述する。）や、下りリンクの通信品質を示す伝搬路品質指示情報（Channel Quality Indicator、以下「CQI」と記述する。）等を、上り制御チャネルを用いて送信する。【０００３】
現在3GPP（3rd Generation Partnership Project）で標準化が進められているLTE（Long Term Evolution）では、上り制御信号（Physical Uplink Control Channel: 以下、PUCCH）を用いてACK/NACK、CQIを送信する際、ACK/NACKのみ送信する場合、CQIのみ送信する場合、ACK/NACKとCQIの両方を送信する場合で制御信号のフォーマットが異なる。【０００４】
図１には（ａ）ACK/NACKのみ送信時のフォーマット、（ｂ）CQIのみ送信時のフォーマット、（ｃ）CQIとACK/NACK送信時のフォーマットの例を示している。１スロットは0.5msで７個のLong Block（LB）から構成され、１送信時間間隔（TTI: Transmission Time Interval）は２スロットから構成される。尚、TTIとは、物理層とMAC層との間で一度に転送される複数のブロックの時間間隔である。図１から分かるように、CQIとACK/NACKとを同時に送信する場合は、制御情報としてACK/NACKのみを送信する場合や、制御情報としてCQIのみを送信する場合に対し、CQI、ACK/NACKに割り当てられるLong Blockの数及び位置が異なる。【０００５】
図２はLTEのスロット構成例である。PUCCHはシステム帯域の両端に多重される。実際には、PUCCH部分には図１のようにPUCCHを復調するためのリファレンス信号（RS : Reference Signal）も含まれるが、図２では省略している。【０００６】
PUCCHとそれを復調するためのリファレンス信号には、CAZAC（Constant Amplitude Zero Auto-Correlation）系列が用いられる。CAZAC系列は、時間領域及び周波数領域において一定振幅かつ位相差０以外の事項相関値が０となる性質を有する。CAZAC系列の一例として、次式であらわされるZadoff-Chu系列が挙げられる（非特許文献１）。【０００７】
【数１】
2009022565.tif 000003
PUCCHのユーザ多重法としては、周波数分割多重（FDM : Frequency Division Multiplexing）と符号多重（Code Division Multiplexing）がある（非特許文献２）。CDMでは、各ユーザが同一のCAZAC系列にユーザ固有のサイクリックシフトを施した系列を用いる（非特許文献３）。これにより、ユーザ間の直交性が保たれる。図３はサイクリックシフトを説明するための図である。単位サイクリックシフト量をΔT（図でロングブロック長／６）とした場合、サイクリックシフト系列i（i=1,2,3,4,5,6）は、基本系列の最後部ΔT×（i-1）を先頭につけかえてシフトすることで生成される。ユーザ間の直交性を保持するためにはΔTは伝搬路の最大遅延パスより大きい必要が有る。【０００８】
ACK/NACKは送信情報量が小さい（基本的には１ビット）であるため、更に時間軸上のブロック拡散を施すことが可能であり、これによりユーザ多重数を増加する（非特許文献４参照）。図４は、ブロック拡散の例を示す図である。図では、リファレンス信号にLong Blockが３個、ACK/NACKにLong Blockが４個であるため、リファレンス信号は符号長３、ACK/NACKは符号長４のユーザ固有の直交符号でブロック拡散される。可能多重なユーザ数は、符号長と同一であり、ここでは、符号長の短いリファレンス信号の系列長から最大3となる。従って、サイクリックシフトで多重可能なユーザ数が６であるとすると、この３倍の１８ユーザを同一周波数内で多重できる。【０００９】
下りL1/L2制御信号を用いて下りデータのリソースが割り当てられるユーザに関しては、ACK/NACKを送信するPUCCHのリソースと、スケジューリングに用いる制御チャネルのindexとを１対１に対応付け、シグナリングは行わないことが合意されている。【００１０】
図５は下りのフレームフォーマット例である。最初の２つのOFDMシンボルがL1/L2制御信号であり、下りSharedチャネルの割り当て情報を含むDownlink grant（図中ではDL grantと記載されている）と上りSharedチャネルの割り当て情報を含むUplink grant（図中ではUL grantと記載されている）とより構成される。図５のDownlink grant#0〜#Nは、それぞれ、DL Data#0〜#Nへの割り当てリソース情報と、これを受信すべきユーザの識別子を含んでいる。【００１１】
図６はDownlink grantとPUCCHのリソースとの対応例である。尚、PUCCHのリソースにindexを付与することは現在行われていないが、以下の説明ではPUCCHのリソースにindexを付与して説明する。【００１２】
Downlink grantを送信するリソースはCCE（Control Channel Element）から構成され、CCEが単位リソースとなる。そして、このCCEのindexとPUCCHのリソースのindexとが１対１に対応付けられている。Downlink grantは少なくとも１以上のCCEが用いられるが、ひとつのDownlink grantに用いられるCCEのうち、ひとつのCCEのindexに対応付けられたPUCCHのリソースが、そのDownlink grantのユーザに割り当てられたリソースである。【００１３】
図６では、Downlink grantを送信するリソースが1CCEの場合を示しており、各CCEはPUCCHのリソースと１対１に対応付けられている。従って、Downlink grant#0のユーザは、Downlink grant#0のCCE（index #0）と対応付けられたPUCCHのリソースを用いて、Downlink grant#0で割り当てられたデータに対するACK/NACKを送信する。【００１４】
よって、PUCCHのリソース割り当てにシグナリングを用いる必要がなく、シグナリングオーバヘッドを削減することが可能となる。
【非特許文献１】B. M. Popovic, “Generalized Chirp-Like Polyphase Sequences with Optimum Correlation Properties,” IEEE Transactions on Information Theory, Vol.38, No.4, pp1406-1409, July 1992.
【非特許文献２】3GPP R1-063448 Qualcomm, ”Structure and Link Analysis UL Control Signaling,” November 2006.
【非特許文献３】3GPP R1-060925 Texas Instruments, “Comparison of Proposed Uplink Pilot Structures For SC-OFDMA, ”March 2006.
【非特許文献４】3GPP R1-071293 Qualcomm Europe, “Link Analysis and Multiplexing Capability for UL ACK,” March 2007.
【発明の開示】
【発明が解決しようとする課題】
【００１５】
しかしながら、L1/L2制御信号におけるDownlink grant、Uplink grant等は、伝搬路状況やユーザ間により、それらを構成するCCEの数が可変であり、可変サイズのDownlink grantとPUCCHのリソースとを効率よく対応付けるのは困難であった。すなわち、Downlink grantのサイズが2CCEや、4CCEと大きくなった場合、図６に示すような各CCEのindexとPUCCHの各リソースとの対応付けでは、Downlink grantを構成するCCEのいずれかひとつのCCEのindexと対応付けられたPUCCHのリソースがユーザに割り当てられることとなり、使用されないPUCCHのリソースが多く発生する恐れがあった。【００１６】
例えば、図７では、Downlink grantのサイズが2CCEの場合を示しており、Downlink grantを構成するCCEのindexのうち最若番号のindexと対応付けられたPUCCHのリソースがユーザに割り当てられることとなり、奇数indexのPUCCHが効率的に使用されない。【００１７】
上りデータを送信するユーザは、ACK/NACK信号の送信にPUCCHを用いず、データと一緒にSharedチャネル（PUSCH : Physical Uplink Shared Channel）で送信するため、このユーザのDownlink grantを構成するCCEに対応するPUCCHのリソースが有効に使用されない可能性があった。CQIを送信するユーザは、CQIの送信用に割り当てられたPUCCHを用いてACK/NACKも送信する可能性があり、更に有効に使用されないPUCCHが増加する可能性があった。【００１８】
そこで、本発明は上記課題に鑑みて発明されたものであって、その目的は制御チャンネルのリソースの有効に活用することができる通信システム、それに用いられる装置及びその方法、プログラムを提供することにある。
【課題を解決するための手段】
【００１９】
上記課題を解決する本発明は、第１の制御情報が送信される第１の制御チャネルのＭ個（Ｍは２以上の整数）の単位リソースを基本リソースとし、前記基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、前記割り当てた第１の制御情報を前記移動局に送信する第１の制御情報送信手段とを有する基地局と、前記第１の制御情報を受信し、前記第１の制御情報と対応付けられた第２の制御チャネルのリソースを用いて前記第２の制御情報を送信する第２の制御情報送信手段を
有する移動局とを有することを特徴とする通信システムである。【００２０】
上記課題を解決する本発明は、第１の制御情報が送信される第１の制御チャネルのＭ個（Ｍは２以上の整数）の単位リソースを基本リソースとし、前記基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、前記割り当てた第１の制御情報を前記移動局に送信する第１の制御情報送信手段とを有することを特徴とする基地局である。【００２１】
上記課題を解決する本発明は、基地局からの第１の制御情報が送信される第１の制御チャネルのＭ個（Ｍは２以上の整数）の単位リソースを基本リソースとし、前記基本リソースと第２の制御情報が送信される第２の制御チャネルのリソースとが対応付けられ、前記基本リソースの少なくとも一部を用いて送信されてくる第１の制御情報を受信し、受信した第１の制御情報と対応する第２の制御チャネルのリソースを用いて、第２の制御情報を送信する移動局であって、前記基本リソース又は前記基本リソースを構成する単位リソースと、第２の制御情報を送信する第２の制御チャネルのリソースとの対応関係の情報である対応関係情報と、受信した第１の制御情報の基本リソース又は前記基本リソースを構成する単位リソースの情報と、前記対応関係情報とに基づいて、前記受信した第１の制御情報と対応する第２の制御チャネルのリソースを判断する制御情報送信手段とを有することを特徴とする移動局である。【００２２】
上記課題を解決する本発明は、第１の制御情報が送信される第１の制御チャネルのＭ個（Ｍは２以上の整数）の単位リソースを基本リソースとし、前記基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当処理と、前記割り当てた第１の制御情報を前記移動局に送信する第１の制御情報送信処理とを基地局に実行させることを特徴とするプログラムである。【００２３】
上記課題を解決する本発明は、基地局からの第１の制御情報が送信される第１の制御チャネルのＭ個（Ｍは２以上の整数）の単位リソースを基本リソースとし、前記基本リソースと第２の制御情報が送信される第２の制御チャネルのリソースとが対応付けられ、前記基本リソースの少なくとも一部を用いて送信されてくる第１の制御情報を受信し、受信した第１の制御情報と対応する第２の制御チャネルのリソースを用いて、第２の制御情報を送信する移動局のプログラムであって、前記基本リソース又は前記基本リソースを構成する単位リソースと、第２の制御情報を送信する第２の制御チャネルのリソースとの対応関係の情報である対応関係情報と、受信した第１の制御情報の基本リソース又は前記基本リソースを構成する単位リソースの情報とに基づいて、前記受信した第１の制御情報と対応する第２の制御チャネルのリソースを判断する制御情報送信処理を移動局に実行させることを特徴とするプログラムである。【００２４】
上記課題を解決する本発明は、第１の無線局が、第１の制御チャネルの単位リソースを少なくとも１個以上用いて、第１の制御情報を第２の無線局に送信し、第２の無線局は、第２の制御情報を、前記第１の制御チャネルのＭ個（Ｍは２以上の整数）の単位リソースからなるリソースに対応付けられた第２の制御チャネルのリソースを用いて送信することを特徴とする通信方法である。【００２５】
上記課題を解決する本発明は、移動局と基地局とを有する通信システムの通信方法であって、基地局は、第１の制御情報を送信する第１の制御チャネルのＭ個（Ｍは２以上の整数）の単位リソースを基本リソースとし、前記基本リソースと、移動局からの第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けることを特徴とする通信方法である。【００２６】
上記課題を解決する本発明は、移動局と基地局とを有し、前記基地局からの第１の制御情報が送信される第１の制御チャネルのＭ個（Ｍは２以上の整数）の単位リソースを基本リソースとし、前記基本リソースと第２の制御情報が送信される第２の制御チャネルのリソースとが対応付けられ、前記基本リソースの少なくとも一部を用いて送信されてくる第１の制御情報を受信し、受信した第１の制御情報と対応する第２の制御チャネルのリソースを用いて、第２の制御情報を移動局が送信する通信システムにおける通信方法であって、移動局は、前記基本リソース又は前記基本リソースを構成する単位リソースと、第２の制御情報を送信する第２の制御チャネルのリソースとの対応関係の情報である対応関係情報と、受信した第１の制御情報の基本リソース又は前記基本リソースを構成する単位リソースの情報とに基づいて、前記受信した第１の制御情報と対応する第２の制御チャネルのリソースを判断することを特徴とする通信方法である。【００２７】
上記課題を解決する本発明は、第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、前記割り当てた第１の制御情報を前記移動局に送信する第１の制御情報送信手段とを有する基地局と、前記第１の制御情報を受信し、前記第１の制御情報と対応付けられた第２の制御チャネルのリソースを用いて前記第２の制御情報を送信する第２の制御情報送信手段を有する移動局とを有することを特徴とする通信システムである。【００２８】
上記課題を解決する本発明は、第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、前記割り当てた第１の制御情報を前記移動局に送信する第１の制御情報送信手段とを有することを特徴とする基地局である。【００２９】
上記課題を解決する本発明は、第１の制御情報の複数のサイズに対応する複数の基本リソースを設け、各基本リソースに第２の制御情報が送信される第２の制御チャネルのリソースを対応付け、前記基本リソースの少なくとも一部を用いて、基地局から送信されてくる第１の制御情報を受信し、受信した第１の制御情報と対応する第２の制御チャネルのリソースを用いて、第２の制御情報を送信する移動局であって、前記基本リソースと、第２の制御情報を送信する第２の制御チャネルのリソースとの対応関係の情報である対応関係情報と、受信した第１の制御情報の基本リソースの情報と、前記対応関係情報とに基づいて、前記受信した第１の制御情報と対応する第２の制御チャネルのリソースを判断する制御情報送信手段とを有することを特徴とする移動局である。【００３０】
上記課題を解決する本発明は、基地局と移動局とを有する通信システムにおける通信方法であって、基地局は、第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付け、前記割り当てた第１の制御情報を前記移動局に送信し、移動局は、前記第１の制御情報を受信し、前記第１の制御情報と対応付けられた第２の制御チャネルのリソースを用いて前記第２の制御情報を送信することを特徴とする通信方法である。【００３１】
上記課題を解決する本発明は、基地局と移動局とを有する通信システムにおける基地局の通信方法であって、第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付け、前記割り当てた第１の制御情報を前記移動局に送信することを特徴とする通信方法である。【００３２】
上記課題を解決する本発明は、第１の制御情報の複数のサイズに対応する複数の基本リソースを設け、各基本リソースに第２の制御情報が送信される第２の制御チャネルのリソースを対応付け、前記基本リソースの少なくとも一部を用いて、基地局から送信されてくる第１の制御情報を受信し、受信した第１の制御情報と対応する第２の制御チャネルのリソースを用いて、第２の制御情報を送信する移動局の通信方法であって、前記基本リソースと、第２の制御情報を送信する第２の制御チャネルのリソースとの対応関係の情報である対応関係情報と、受信した第１の制御情報の基本リソースの情報とに基づいて、前記受信した第１の制御情報と対応する第２の制御チャネルのリソースを判断することを特徴とする通信方法である。
【発明の効果】
【００３３】
本発明によれば、第２の制御チャネルのリソースの有効活用を図ることが出来る。
【図面の簡単な説明】
【００３４】
【図１】図１は（ａ）ACK/NACKのみ送信時のフォーマット、（ｂ）CQIのみ送信時のフォーマット、（ｃ）CQIとACK/NACK送信時のフォーマットの例を示したものである。
【図２】図２はLTEのスロット構成例である。
【図３】図３はサイクリックシフトを説明するための図である。
【図４】図４はブロック拡散の例を示す図である。
【図５】図５は下りのフレームフォーマット例である。
【図６】図６はDownlink grantとPUCCHのリソースとの対応例である。
【図７】図７は従来の技術を説明する図である。
【図８】図８は本発明を説明する為の図である。
【図９】図９は本発明を説明する為の図である。
【図１０】図１０は本発明の実施の形態における基地局の主要構成を示すブロック図である。
【図１１】図１１は、本発明の実施の形態における移動局の主要構成を示すブロック図である。
【図１２】図１２は、本動作におけるPDCCHのリソースとPUCCHのリソースとの対応付けを示す図である。
【図１３】図１３は本動作における基地局１０の制御部105でのPDCCH及びPUCCHのリソース割り当てに関するフローチャートである。
【図１４】図１４は図１２におけるPDCCHのリソースとPUCCHのリソースとの対応付け、及び、図１３におけるPDCCH及びPUCCHのリソース割り当てのフローチャートを適用した場合の、PDCCH及びPUCCHのリソース割り当ての例である。
【図１５】図１５は移動局（UE）２０の制御部204フローチャートである。
【図１６】図１６は他の動作の具体例である。
【図１７】図１７は他の動作における基地局１０の制御部105でのPDCCH及びPUCCHのリソース割り当てに関するフローチャートである。
【図１８】図１８は、図１６におけるPDCCHのリソースとPUCCHのリソースとの対応付け、及び、図１７におけるPDCCH及びPUCCHのリソース割り当てのフローチャートを適用した場合の、PDCCH及びPUCCHのリソース割り当ての例である。
【図１９】図１９は、更なる本動作におけるPDCCHのリソースとPUCCHのリソースとの対応付けを示す図である。
【図２０】図２０は、更なる本動作における基地局10の制御部105でのPDCCH及びPUCCHのリソース割り当てに関するフローチャートである。
【図２１】図２１は、図１９におけるDL grantとPUCCHの対応付け、図２０におけるPDCCH及びPUCCHのリソース割り当てのフローチャートを適用した場合の、PDCCH及びPUCCHのリソース割り当ての例である。
【図２２】図２２は、更なる本動作におけるPDCCHのリソースとPUCCHのリソースとの対応付けを示す図である。
【図２３】図２３は、図２２におけるDL grantとPUCCHの対応付けの場合のPDCCH及びPUCCHのリソース割り当ての例である。
【符号の説明】
【００３５】
10  基地局
20  移動局
101  無線通信制御部
102  PUSCH再生部
130  PUCCH再生部
104  CQI測定部
105  制御部
106  スケジューラ
107  PDCCH生成部
108  PDSCH生成部
109  リファレンス信号生成部
201  無線通信部
202  PDCCH再生部
203  PDSCH再生部
204  制御部
205  PUSCH生成部
206  PUCCH生成部
207  CAZAC系列拡散部
208  CAZAC系列生成部
209  離散フーリエ変換部
210  信号選択部
【発明を実施するための最良の形態】
【００３６】
本発明の実施の形態を説明する。【００３７】
本発明は、第１の制御情報が送信される第１の制御チャネルのＭ個（Ｍは２以上の整数）の単位リソースを基本リソースとし、基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付け、その結果、第１の制御情報と第２の制御チャネルのリソースとがリンクされることを特徴とする。【００３８】
ここで、Ｍ個（Ｍは２以上の整数）の単位リソースから構成される基本リソースは、第１の制御情報と第２の制御チャネルのリソースとを対応付けるための概念的なリソースである。従って、第１の制御チャネルのリソースを、全て同じＭ個（Ｍは２以上の整数）の単位リソースから成る基本リソースに分ける場合のみならず、異なるＭの個数からなる複数の基本リソースに分けられても良い。【００３９】
図８は本発明の概要を説明する為の図である。尚、図８では、第１の制御チャネルの単位リソースと第２の制御チャネルのリソースとに、便宜的にindexを付している。【００４０】
図８の例では、理解を容易にするために、第１の制御チャネルの基本リソースが２個の単位リソースから構成される場合（Ｍ＝２である場合）を示したものであり、これらの基本リソースと、第２の制御チャネルのリソースとを対応付けた例である。すなわち、第１の制御チャネルのIndex #0の単位リソースとIndex #1の単位リソースとから構成される基本リソース#0と、第２の制御チャネルのIndex #0のリソースとが対応付けられている。また、第１の制御チャネルのIndex #2の単位リソースとIndex #3の単位リソースとから構成される基本リソース#1と、第２の制御チャネルのIndex #1のリソースとが対応付けられている。また、第１の制御チャネルのIndex #4の単位リソースとIndex #5の単位リソースとから構成される基本リソース#2と、第２の制御チャネルのIndex #2のリソースとが対応付けられている。また、第１の制御チャネルのIndex #6の単位リソースとIndex #7の単位リソースとから構成される基本リソース#3と、第２の制御チャネルのIndex #3のリソースとが対応付けられている。また、第１の制御チャネルのIndex #8の単位リソースとIndex #9の単位リソースとから構成される基本リソース#4と、第２の制御チャネルのIndex #4のリソースとが対応付けられている。以下、同様に、第１の制御チャネルのふたつの単位リソースから構成される基本リソースに、第２の制御チャネルのリソースが対応付けられている。【００４１】
ここで、図８に示すように、第１の制御チャネルの２個の単位リソースから構成される基本リソースと第２の制御チャネルのリソースとが対応付けられている場合において、図９に示す如く、第１の無線局から、４個の単位リソースのサイズを持つ第１の制御情報#0と、２個の単位リソースのサイズを持つ第１の制御情報#1、#2と、１個の単位リソースのサイズを持つ第１の制御情報#3を第１の無線局から第２の無線局に送信し、第２の無線局は、第１の制御情報に対応するリソースを用いて、第２の制御情報を送信する場合を考える。【００４２】
第１の無線局は、第１の制御チャンネルの基本リソースの少なくとも一部に、第１の制御情報を割り当てていく。例えば、第１の制御情報#0は必要とされる単位リソースが４個なので、第１の制御チャネルの基本リソース#0と基本リソース#1とを、第１の制御情報#0に割り当てる。そして、基本リソース#0と基本リソース#1とのいずれかに対応付けられた第２の制御チャネルのリソースを、第１の制御情報#0と対応付ける。本例では、基本リソース#0に対応付けられている第２の制御チャネルのIndex #0のリソースと、第１の制御情報#0とを対応付ける。【００４３】
同様に、第１の無線局は、第１の制御情報#1を、第１の制御チャネルの基本リソース#2に割り当てる。そして、基本リソース#2に対応付けられている第２の制御チャネルのIndex #2のリソースと、第１の制御情報#1とを対応付ける。【００４４】
同様に、第１の無線局は、第１の制御情報#2を、第１の制御チャネルの基本リソース#3に割り当てる。そして、基本リソース#3に対応付けられている第２の制御チャネルのIndex #3のリソースと、第１の制御情報#2とを対応付ける。【００４５】
更に、第１の制御情報#3は必要とされる単位リソースが１個なので、基本リソース#4の一部であるIndex #8の単位リソースに第１の制御情報#3を割り当てる。そして、基本リソース#4に対応付けられている第２の制御チャネルのIndex #4のリソースと、第１の制御情報#3とを対応付ける。【００４６】
このようにすることにより、第１の制御チャネルの単位リソース毎に第２の制御チャネルのリソースを対応付けるのと比較して、使用できない第２の制御チャネルのリソースが減る。図９の例で示すと、第２の制御チャネルのIndex #1のリソースと第２の制御チャネルのIndex #5のリソースとは、いずれの第１の制御情報にも対応付けられていないので、第２の制御情報を第２の制御チャネルを用いて送信しない他の第２の無線局に割当てることができ、第２の制御チャネルのリソースの有効活用を図ることが出来る。【００４７】
更に、本発明は、図９に示される如く、第２の制御チャネルのリソースが周波数帯域上につめて配置されるので、無駄な周波数帯域ができず、空いた帯域を他のチャネルに割り当てることができるという効果も有する。【００４８】
更に、第１の制御チャネルの単位リソースのうち、第１の制御情報が割当てられなかった単位リソースについても、第２の制御情報を基本リソースに対応付けられている第２の制御チャネルを用いて送信しない他の第２の無線局に割当てることができ、第１の制御チャネルのリソースの有効活用も図れる。例えば、図９の例では、第１の制御チャネルのIndex #9の単位リソースは、第２の制御情報を基本リソースに対応付けられている第２の制御チャネルを用いて送信しない他の第２の無線局に割り当てることができる。【００４９】
尚、第２の無線局が第２の制御チャネルのリソースを識別する方法であるが、第１の無線局と第２の無線局との間で、第１の制御情報と第２の制御チャネルのリソースとの対応関係の情報を共有するように構成すれば良い。例えば、図９の例では、第１の制御情報を送信するに用いた基本リソースのうちの最若番のIndexをX、第２の制御チャネルのリソースのIndexをYとした場合、X÷２の商からYを求めることができる。この対応関係の情報を第２の無線局が予め記憶していれば、第２の無線局は、受信した第１の制御情報を構成する単位リソースの最若番のIndexを２で割った商を求めることにより、第２の制御情報を送信するための第２の制御チャネルのリソースのIndexを知ることが出来る。尚、上述の例は一例であり、他の方法でもかまわない。【００５０】
また、本発明を3GPPに適用した場合、第１の無線局、第２の無線局、第１の制御チャネル、第２の制御チャネル、第１の制御チャネルの単位リソース、第１の制御情報、及び第２の制御情報の具体的な例であるが、第１の無線局が基地局(NodeBともいう)、第２の無線局が移動局(UEともいう)、第１の制御チャネルがPDCCH(Physical Downlink Control Channel)、第１の制御チャネルの単位リソースがCCE(Control Channel Element)、第１の制御情報がDownlink grant、第２の制御チャネルがPUCCH(Physical Uplink Control Channel)、第２の制御情報がDownlink grantで指定されたPDSCH(Physical Downlink Shared Channel)のデータに対するACK(Acknowledgement)、NACK(Negative Acknowledgement)に、それぞれ対応する。【００５１】
そして、以下のように動作する。尚、基本リソースを構成するCCEの個数や、基本リソースとPUCCHのリソースとの対応関係の情報は、基地局とユーザ端末との間で共有しているものとする。【００５２】
基地局は、PDSCHに下りデータを割り当てたユーザに、下りL1/L2制御信号のDownlink grant （以下、DL grantと記載する）で割り当て情報を通知する。DL grantは、PDCCHの単位リソースであるCCEの整数倍からなる複数のサイズのフォーマットを有している。PDCCHのＭ個のCCEから構成される基本リソースとPUCCHのリソースのindexとが対応付けられている。【００５３】
基地局は、DL grantによって割り当てられたデータ信号に対するACK/NACKのみを送信するユーザ端末には、使用するPUCCHがシグナリングにより通知されるユーザ端末よりも、優先的にDL grantを割り当てる。割り当てる方法は、上述した通りであり、Ｍ個のCCEの基本リソースの少なくとも一部にDL grantを割り当てる。そして、そのDL grantと、DL grantを割り当てた基本リソースに対応するPUCCHのリソースとを対応付ける。【００５４】
ユーザ端末は、DL grantで割り当てられたデータに対するACK/NACKのみを送信する場合は、対応関係の情報に基づいて、受信したDL grantのCCEのindexからPUCCHのリソースを判断して使用する。【００５５】
以下、具体的なの実施例について詳細に説明する。尚、以下の説明では、本発明を3GPPに適用した場合について説明する。【００５６】
図１０は本発明の実施の形態における基地局の主要構成を示すブロック図である。図１０では、基地局１０が複数の移動局２０（UE1、UE2・・・）を収容しているものとする。【００５７】
図１０において、無線通信制御部101は、例えば図２に既に示した所定の周波数／時間多重構成にしたがって複数の移動局ＵＥとの通信を制御する。たとえば、無線通信制御部101は、複数の移動局ＵＥから受信する多重信号を分離してPUSCH再生部102、PUCCH再生部103およびCQI測定部104へそれぞれ出力し、またPDCCH(Physical Downlink Control Channel)生成部107、PDSCH生成部108およびリファレンス信号生成部109から各種送信信号を所定の周波数／時間多重構成に従って多重し、複数の移動局へ送信する。【００５８】
CQI測定部104は、各移動局からのリファレンス信号を受信することで、上りリンクの伝搬路品質を測定し、制御部105およびスケジューラ106へ出力する。スケジューラ106は、制御部105の制御の下で、測定された各移動局の上りリンク伝搬路品質を用いて伝搬路依存の周波数スケジューリングを行う。【００５９】
スケジューラ106は、下りリンクのPDSCHの割り当て情報(Downlink grant)及び上りリンクのPUSCHの割り当て情報(Uplink grant)を、制御部105を介して、PDCCH生成部107及びPDSCH生成部108へ出力し、Downlink grantはPDCCH生成部107および無線通信制御部101によって下りリンクの制御信号として各移動局へ送信され、Downlink grantに対応する下りデータは、PDSCH生成部108、無線通信制御部101によって各移動局へ送信される。【００６０】
制御部105は、周期的なCQIレポートのためのPUCCH割り当て情報がある場合は、これもPDSCH生成部108に出力し、CQIレポートのためのPUCCH割り当て情報は、PDSCH生成部108、無線通信制御部101によってPDSCHの一部として各移動局へ送信される。尚、制御部105の詳細な動作については、後述する。【００６１】
図１１は、本発明の実施の形態における移動局の主要構成を示すブロック図である。【００６２】
図１１において、無線通信部201により基地局10から受信した多重信号を入力として、PDCCH再生部202はDownlink grant、Uplink grantを再生し、PDSCH再生部203は、再生されたDownlink grantに基づき、PDSCHで送信されたデータ、CQIレポートのためのPUCCH割り当て情報等を抽出する。制御部204は、基地局から通知されたDownlink grantやCQIレポートのためのPUCCH割り当て情報に従って、上り制御信号送信に用いるPUCCHの割り当て情報を生成する。尚、制御部204の詳細な動作については、後述する。【００６３】
PUSCH生成部205は、制御部204を介して得られる再生されたUplink grantに基づきPUSCHのデータ信号を生成し、離散フーリエ変換部DFT209によってPUSCHデータ信号を周波数領域に変換した後、信号選択部210へ出力する。【００６４】
PUCCH生成部206はＰＵＣＣＨの制御信号を生成し、CAZAC系列拡散部207はCAZAC系列生成部208から入力した周波数領域のCAZAC系列を用いてPUCCHの制御信号を拡散する。【００６５】
CAZAC系列生成部208は周波数領域のCAZAC系列を生成し、CAZAC系列拡散部207及び信号選択部210へ出力する。【００６６】
信号選択部210は、制御部204の制御の下で、DFT209からのPUSCHデータ信号、CAZAC系列拡散部207からのPUCCH制御信号、および、CAZAC系列生成部208からのリファレンス信号を順次選択し、時間方向の分割多重を行い、サブキャリアマッピング部211へ出力する。サブキャリアマッピング部211は、信号選択部２１３から入力した周波数領域の信号を割り当てられたリソースブロックのサブキャリアにマッピングし、それを逆フーリエ変換部IFFT212によって時間領域の信号に変換する。【００６７】
続いて、サイクリックシフト部213は、制御部204の制御の下で、CAZAC系列のサイクリックシフトを行う。すなわち、PUSCHの場合にはサイクリックシフト量を0に設定してサイクリックシフトは行わない。PUCCHおよびリファレンス信号の場合には、制御部204は6パターンのサイクリックシフト量を指示し、時間領域のCAZAC信号にサイクリックシフトを付加する。続いて、サイクリックプレフィックス付加部214は、こうして得られた時間領域の信号にサイクリックプレフィックスを付加して無線通信部201へ出力する。【００６８】
次に、具体例を用いて、基地局１０の制御部105及び移動局（UE）２０の制御部204の動作を説明する。【００６９】
図１２は、本動作におけるPDCCHのリソースとPUCCHのリソースとの対応付けを示す図である。【００７０】
ここでは、DL grantのサイズとして、1CCE、2CCE、4CCEの３種類があると仮定し、最大サイズである4CCE（Ｍ＝４）をひとつの基本リソースとし、基本リソースとPUCCHのリソースのindexとを対応付けている。尚、図１２では、基本リソースを構成するCCEのindexのうち最若番のindexを、その基本リソースを識別するindexとし、このindexとPUCCHのindexとを対応付けている。しかし、最若番のindexに限ることなく、基本リソースを構成する他のCCEのindex、又は全てのindexと対応付けても良い。【００７１】
図１３は本動作における基地局１０の制御部105でのPDCCH及びPUCCHのリソース割り当てに関するフローチャートである。【００７２】
図１３において、まず、基地局１０の制御部105では、移動局（UE）へのDL grantを、DL grantが必要とするサイズの大きい順に並び替える（ステップ300）。そして、DL grantで割り当てられたデータ信号に対するACK/NACKのみ送信する移動局（UE）へのDL grantと、それ以外の順に並び替える（ステップ301）。【００７３】
次に、DL grant毎に、DL grantで割り当てられたデータ信号に対するACK/NACKのみ送信する移動局（UE）へのDL grantであるか否かを判定する（ステップ302）。【００７４】
ACK/NACKのみを送信する移動局（UE）へのDL grantである場合は、並び替えられた順番に、図１２の対応関係情報に基づいて、index番号の小さいPUCCHのリソースに対応する基本リソースにDL grantを割り当てる（ステップ303）。【００７５】
ACK/NACKのみを送信する移動局（UE）へのDL grantのPDCCHの割り当てが完了した後に、これ以外の移動局（UE）に、PDCCHの空きリソースを割り当てる（ステップ304）。【００７６】
図１４は図１２におけるPDCCHのリソースとPUCCHのリソースとの対応付け、及び、図１３におけるPDCCH及びPUCCHのリソース割り当てのフローチャートを適用した場合の、PDCCH及びPUCCHのリソース割り当ての例である。【００７７】
ここで、上りでACK/NACKのみを送信する移動局（UE）へのDL grantが６存在し（UE#0〜UE#5）、UE#0及びUE#1は4CCE、UE#2及びUE#3は2CCE、UE#4及びUE#5は1CCEであると仮定する。【００７８】
最大のDL grantサイズの4CCEを基本リソースとし、その基本リソースのCCEの最若番のindexと、PUCCHのリソースのindexとが対応付けられているため、DL grantのサイズに関わらす、PUCCHが効率よく多重されている。【００７９】
2CCEや1CCEから構成されるDL grantサイズが最大サイズでないユーザ端末に対する基本リソースへの多重がされた後のCCE、例えば、CCE#10、#11、#14、#15、#17、#18、#19、#21、#22、#23は、DL grantの送信リソースに割り当てられていない。これらのCCEは例えば、上りでACK/NACKと同時に上りデータを送り、上りデータとACK/NACKをPUSCHで送信するユーザ端末、上りでACK/NACKと同時にCQIを送り、CQIとACK/NACKをCQIの送信用にシグナリングで割り当てられたPUCCHを用いて送信するユーザ端末に割り当てることで有効に利用することができる。【００８０】
次に、移動局（UE）２０の制御部204の動作について説明する。【００８１】
図１５は移動局（UE）２０の制御部204フローチャートである。【００８２】
まず、制御部204は、受信したDL grantを構成するCCEのうち、最若番のindexを取得する（ステップ1000）。【００８３】
取得したindexから、対応関係情報を照合し（ステップ1001）、ACK/NACKを送信するPUCCHのリソースのindexを識別する（ステップ1002）。【００８４】
具体的には、移動局（UE）２０の制御部204は、取得した最若番のIndexをX、PUCCHのリソースのIndexをYとした場合、X÷４（Ｍ＝４）の商の整数部分がYであることの情報を予め記憶している。【００８５】
図１４によれば、例えば、受信したDL grantがUE#0である場合、UE#0の最若番のIndexは0であり、0÷4の商は0であり、従って、UE#0に対応するPUCCHのリソースのIndexは#0である。【００８６】
同様に、受信したDL grantがUE#1である場合、UE#1の最若番のIndexは4であり、4÷4の商は1であり、従って、UE#1に対応するPUCCHのリソースのIndexは#1である。【００８７】
同様に、受信したDL grantがUE#2である場合、UE#2の最若番のIndexは8であり、8÷4の商は2であり、従って、UE#2に対応するPUCCHのリソースのIndexは#2である。【００８８】
同様に、受信したDL grantがUE#3である場合、UE#3の最若番のIndexは12であり、12÷4の商は3であり、従って、UE#3に対応するPUCCHのリソースのIndexは#3である。【００８９】
同様に、受信したDL grantがUE#4である場合、UE#4の最若番のIndexは16であり、16÷4の商は4であり、従って、UE#4に対応するPUCCHのリソースのIndexは#4である。【００９０】
同様に、受信したDL grantがUE#5である場合、UE#5の最若番のIndexは20であり、20÷4の商は5であり、従って、UE#5に対応するPUCCHのリソースのIndexは#5である。【００９１】
このようにして、移動局２０は、DL grantで指定されたデータ信号に対するACK/NACKを送信するPUCCHのリソースのIndexを知ることができる。【００９２】
尚、上述した例では、4CCE（Ｍ＝４）から構成される基本リソースを例にし、基本リソースを構成するCCEの数を固定として説明した。しかしながら、基本リソースが１種類の場合でも、例えば、セル構成の変更によりセルの大きさに応じて主に使用されるDL grantのサイズが変更される等により、最適な基本リソースのサイズが時間と共に変わる場合がある。このような場合、システム情報として制御信号で基本リソースのサイズ（基本リソースを構成するCCEの個数Ｍ）を通知することにより、基本リソースとPUCCHのリソースとの対応付けを動的に変更することも可能である。【００９３】
例えば、基地局と移動局とが、上述した対応関係情報（Ｍをパラメータとする対応式）を共有し、基地局から移動局に、基本リソースを構成するCCEの個数Ｍを通知する。移動局は、対応関係情報（Ｍをパラメータとする対応式）のパラメータを通知されたＭの値に変更することにより、受信したDL granに対応するPUCCHのリソースを知ることができる。【００９４】
次に、本実施例の他の基地局１０の制御部105及び移動局（UE）２０の制御部204の動作を説明する。【００９５】
本動作の具体例では、DL grantのサイズとして、2CCE、4CCEの２種類があると仮定し、DL grantのサイズの最小の数である2CCE（Ｍ＝２）をひとつの基本リソースとし、基本リソースとPUCCHのリソースのindexとを対応付けている。尚、図１６では、基本リソースを構成するCCEのindexのうち最若番のindexを、その基本リソースを識別するindexとし、このindexとPUCCHのindexとを対応付けている。しかし、最若番のindexに限ることなく、基本リソースを構成する他のCCEのindex、又は全てのindexと対応付けても良い。【００９６】
図１７は他の動作における基地局１０の制御部105でのPDCCH及びPUCCHのリソース割り当てに関するフローチャートである。【００９７】
図１７において、まず、基地局１０の制御部105では、移動局（UE）へのDL grantを、DL grantが必要とするサイズの小さい順に並び替える（ステップ400）。そして、DL grantで割り当てられたデータ信号に対するACK/NACKのみ送信する移動局（UE）へのDL grantと、それ以外の順に並び替える（ステップ401）。【００９８】
次に上りでACK/NACKのみを送信するユーザ端末であるか否かを判定する(ステップ402)。【００９９】
ACK/NACKのみを送信する移動局（UE）へのDL grantである場合は、並び替えられた順番に、図１６の対応関係情報に基づいて、index番号の小さいPUCCHのリソースに対応する基本リソースにDL grantを割り当てる（ステップ403）。【０１００】
ACK/NACKのみを送信するユーザ端末へのPDCCHの割り当てが完了した後に、これ以外のユーザ端末へPDCCHのリソースを割り当てる（ステップ404）。【０１０１】
最後に空きのPUCCHを、上りでACK/NACKのみを送信するユーザ端末以外に割り当てる（ステップ405）。【０１０２】
図１８は、図１６におけるPDCCHのリソースとPUCCHのリソースとの対応付け、及び、図１７におけるPDCCH及びPUCCHのリソース割り当てのフローチャートを適用した場合の、PDCCH及びPUCCHのリソース割り当ての例である。【０１０３】
ここで、上りでACK/NACKのみを送信するユーザ端末へのDL grantが4存在し(UE#0〜UE#3)、UE#0及びUE#1は4CCE、UE#2及びUE#3は2CCEであると仮定する。【０１０４】
最小のDL grantサイズに対して最若番のCCEのindexとPUCCHのindexとを対応付けているため、DL grantのサイズに関わらす、PDCCHが効率よく多重されている。【０１０５】
最小のDL grantサイズの2CCEを基本リソースとし、その基本リソースのCCEの最若番のindexと、PUCCHのリソースのindexとが対応付けられているため、DL grantのサイズに関わらす、PUCCHが効率よく多重されている。【０１０６】
また、上述したと同様に、DL grantが割り当てられなかったCCEや、DL grantと対応しないPUCCHのリソースは、CQIの送信用にシグナリングで割り当てられたPUCCHを用いてCQIを送信するユーザ端末、上りでACK/NACKと同時にCQIを送り、CQIとACK/NACKをCQIの送信用にシグナリングで割り当てられたPUCCHを用いて送信するユーザ端末に割り当てることで有効に利用できる。【０１０７】
次に、移動局（UE）２０の制御部204の動作について説明するが、動作のフローチャートは上述した具体例と同様なものなので、詳細な説明は省略する。【０１０８】
但し、本動作の場合、移動局（UE）２０の制御部204は、取得した最若番のIndexをX、PUCCHのリソースのIndexをYとした場合、X÷２の商の整数部分がYであることの情報を予め記憶している。【０１０９】
図１８によれば、例えば、受信したDL grantがUE#0である場合、UE#0の最若番のIndexは0であり、0÷2の商は0であり、従って、UE#0に対応するPUCCHのリソースのIndexは#0である。【０１１０】
同様に、受信したDL grantがUE#1である場合、UE#1の最若番のIndexは2であり、2÷2の商は1であり、従って、UE#1に対応するPUCCHのリソースのIndexは#1である。【０１１１】
同様に、受信したDL grantがUE#2である場合、UE#2の最若番のIndexは4であり、4÷2の商は2であり、従って、UE#2に対応するPUCCHのリソースのIndexは#2である。【０１１２】
同様に、受信したDL grantがUE#3である場合、UE#3の最若番のIndexは8であり、8÷2の商は4であり、従って、UE#3に対応するPUCCHのリソースのIndexは#4である。【０１１３】
このようにして、移動局２０は、DL grantで指定されたデータ信号に対するACK/NACKを送信するPUCCHのリソースのIndexを知ることができる。【０１１４】
続いて、本実施例の更なる他の基地局１０の制御部105及び移動局（UE）２０の制御部204の動作を説明する。【０１１５】
図１９は、本動作におけるPDCCHのリソースとPUCCHのリソースとの対応付けを示す図である。ここでは、DL grantのサイズとして、1CCE、2CCE、4CCEの3種類があると仮定し、4CCE（Ｍ＝4）の基本リソースと、2CCE（Ｍ＝2）の基本リソースとを用いる、すなわち、複数種類の基本リソースを用いる場合を説明している。尚、本例では、基本リソースの種類を２つに固定にしているが、ユーザ端末の分布に応じて、基本リソースの種類を準静的に制御することも可能である。【０１１６】
図１９では、index #0、index #1、index #2及びindex #3の単位リソースから構成される基本リソースがPUCCHのindex #0のリソースと対応付けられている。また、index #4、index #5、index #6及びindex #7の単位リソースから構成される基本リソースがPUCCHのindex #1のリソースと対応付けられている。【０１１７】
また、index #8及びindex #9の単位リソースから構成される基本リソースがPUCCHのindex #2のリソースと対応付けられている。index #10及びindex #11の単位リソースから構成される基本リソースがPUCCHのindex #3のリソースと対応付けられている。index #12及びindex #13の基本リソースがPUCCHのindex #4のリソースと対応付けられている。index #14及びindex #15の基本リソースがPUCCHのindex #5のリソースと対応付けられている。【０１１８】
図１９の例では、4CCE（Ｍ＝4）の基本リソースと2CCE（Ｍ＝2）の基本リソースとの割合を１対２にしているが、ユーザ端末の分布に応じて、その割合を変更することもできる。【０１１９】
図２０は、本動作における基地局10の制御部105でのPDCCH及びPUCCHのリソース割り当てに関するフローチャートである。【０１２０】
図２０において、基地局10の制御部105では、ユーザ端末をDL grantのサイズの大きい順に並び替える(ステップ500)。そして、上りでACK/NACKのみ送信するユーザ端末、それ以外の順に並び替える(ステップ501)。次に上りでACK/NACKのみを送信するユーザ端末であるか否かを判定する(ステップ502)。【０１２１】
ACK/NACKのみを送信するユーザ端末である場合は、並び替えられた順番にDL grantのサイズが基本リソースと一致するユーザを優先してindexの小さいPUCCHに対応する基本リソースに、DL grantを割り当てる(ステップ503)。ACK/NACKのみを送信するユーザ端末へのPDCCHの割り当てが完了した後に、これ以外のユーザ端末へPDCCHの空きリソースを割り当てる(ステップ504)。最後に空きのPUCCHを上りでACK/NACKのみを送信するユーザ端末以外に割り当てる(ステップ505)。【０１２２】
図２１は、図１９におけるDL grantとPUCCHの対応付け、図２０におけるPDCCH及びPUCCHのリソース割り当てのフローチャートを適用した場合の、PDCCH及びPUCCHのリソース割り当ての例である。ここで、上りでACK/NACKのみを送信するユーザ端末が6存在し(UE#0〜UE#5)、UE#0、UE#1はDL grantが4CCE、UE#2、UE#3はDL grantが2CCE、UE#4、UE#5はDL grantが1CCEであると仮定する。【０１２３】
図１９の対応付けで仮定したDL grantサイズのユーザ分布（各DL grantサイズが２ユーザ）と、実際にスケジューリングする際のDL grantサイズのユーザ分布が一致しているため、PDCCH、PUCCH共に効率よく多重されている。【０１２４】
尚、基本リソースよりもDL grantのサイズが小さいユーザ端末のDL grantが割り当てられた後のCCE（図２１のUE#4の後のCCE#13や、UE#5の後のCCE#15）は、DL grantとPUCCHのindexとが対応付けられていないため、上りでACK/NACKのみを送信ユーザに割り当てることはできない。これらのCCEは例えば、上りでACK/NACKと同時に上りデータを送り、上りデータとACK/NACKをPUSCHで送信するユーザ端末、上りでACK/NACKと同時にCQIを送り、CQIとACK/NACKをCQIの送信用にシグナリングで割り当てられたPUCCHを用いて送信するユーザ端末に割り当てることで有効に利用できる。【０１２５】
次に、移動局（UE）２０の制御部204の動作について説明するが、動作のフローチャートは上述した具体例と同様なものなので、詳細な説明は省略する。【０１２６】
但し、本動作の場合、移動局（UE）２０の制御部204が記憶している対応関係情報は、以下の通りである。【０１２７】
基本リソースのサイズを4CCEと2CCEとし、4CCEの基本リソースの個数をN1、2CCEの基本リソースの個数をN2とし、図１９の対応付けのようにPDCCHの先頭からサイズの大きい基本リソースが配置されているとすると、PUCCHのindex j(j=0,1,2, …)と受信したDownlink grantのCCEの最若番のindex i (i=0,1,2,…)との対応は、以下の通りとなる。【０１２８】
i <N1×4の場合
j = i/4
N1×4 ≦ i < N1×4＋N2×2の場合
j = N1 + (i−N1×4) / 2
本例では、4CCEの基本リソースは２個(N1=2)、2CCEの基本リソースは４個(N2=4)であるので、以下の通りとなる。【０１２９】
i < 2×4=8の場合
j = i/4
2×4 ≦ i <2×4＋4×2  すなわち8 ≦ i <16の場合
j = 2 ＋ (i−2×4) / 2
= 2＋ (i−8) / 2
このようにして、移動局２０は、DL grantで指定されたデータ信号に対するACK/NACKを送信するPUCCHのリソースのIndexを知ることができる。【０１３０】
尚、実際に必要なDownlink grantのサイズやの数はトラフィック量、端末の移動により変化する。この変化が比較的小さい範囲では、上述したように、空いてしまっているCCEやPUCCHを他の目的に割り当てることにより無駄なリソースが生じることを防ぐことができる。しかし、時間が経つにつれ、設定した基本リソースのサイズや個数は、必要な数からずれていく可能性がある。そのような場合には、基地局は基本リソースのサイズや個数を変更し、その対応関係情報を移動局に通知することにより、適正化を図ることができる。【０１３１】
続いて、本実施例の更なる他の基地局１０の制御部105及び移動局（UE）２０の制御部204の動作を説明する。【０１３２】
上述した例では、基本リソースのサイズを4CCEと2CCEとしているが、これに限られない。特に、送信されるDownlink grantのサイズに合わせて基本リソースを設け、それらの基本リソースとPUCCHのリソースとを対応付けるようにしても良い。【０１３３】
図２２は、本動作におけるPDCCHのリソースとPUCCHのリソースとの対応付けを示す図である。ここでは、DL grantのサイズとして、1CCE、2CCE、4CCEの3種類があると仮定し、4CCE（Ｍ＝4）の基本リソースと、2CCE（Ｍ＝2）の基本リソースと、1CCE（Ｍ＝1）の基本リソースを用いる、すなわち、複数種類の基本リソースを用いる場合を説明している。尚、本例では、基本リソースの種類を３つに固定にしているが、ユーザ端末の分布に応じて、基本リソースの種類を準静的に制御することも可能である。【０１３４】
図２２では、index #0、index #1、index #2及びindex #3の単位リソース（CCE）から構成される基本リソースがPUCCHのindex #0のリソースと対応付けられている。また、index #4、index #5、index #6及びindex #7の単位リソース（CCE）から構成される基本リソースがPUCCHのindex #1のリソースと対応付けられている。【０１３５】
また、index #8及びindex #9の単位リソース（CCE）から構成される基本リソースがPUCCHのindex #2のリソースと対応付けられている。index #10及びindex #11の単位リソース（CCE）から構成される基本リソースがPUCCHのindex #3のリソースと対応付けられている。index #12の単位リソース（CCE）から構成される基本リソースがPUCCHのindex #4のリソースと対応付けられている。index #13の単位リソース（CCE）から構成される基本リソースがPUCCHのindex #5のリソースと対応付けられている。【０１３６】
図２２の例では、4CCEの基本リソースと2CCEの基本リソースと1CCEの基本リソースの割合を１対１対１にしているが、ユーザ端末の分布に応じて、その割合を変更することもできる。【０１３７】
本例における基地局10の制御部105及び移動局（UE）２０の制御部204の動作は上述した動作と同様である。【０１３８】
図２３は、図２２におけるDL grantとPUCCHの対応付けの場合、PDCCH及びPUCCHのリソース割り当ての例である。ここで、上りでACK/NACKのみを送信するユーザ端末が6存在し(UE#0〜UE#5)、UE#0、UE#1はDL grantが4CCE、UE#2、UE#3はDL grantが2CCE、UE#4、UE#5はDL grantが1CCEであると仮定する。【０１３９】
図２３の対応付けで仮定したDL grantサイズのユーザ分布（各DL grantサイズが２ユーザ）と、実際にスケジューリングする際の、DL grantサイズ及びDL grantサイズのユーザ分布が一致しているため、PDCCH、PUCCH共に効率よく多重されている。【０１４０】
尚、移動局による、受信したDL grantに対応するPUCCHのリソースのindexの識別であるが、上述のような対応関係情報を基地局と共有していれば、PUCCHのリソースのindexを知ることが出来る。【０１４１】
また、上述した実施の形態における移動局や、基地局の各部はプログラムにより動作する情報処理装置によっても実現できる。【０１４２】
以上の如く、実施の形態を説明したが、本発明の実施例は以下の通りである。【０１４３】
すなわち、本発明の第１の実施例は、第１の制御情報が送信される第１の制御チャネルのＭ個（Ｍは２以上の整数）の単位リソースを基本リソースとし、前記基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、前記割り当てた第１の制御情報を前記移動局に送信する第１の制御情報送信手段とを有する基地局と、前記第１の制御情報を受信し、前記第１の制御情報と対応付けられた第２の制御チャネルのリソースを用いて前記第２の制御情報を送信する第２の制御情報送信手段を有する移動局とを有することを特徴とする通信システムである。【０１４４】
また、本発明の第２の実施例は、前記第１の制御チャネルがPDCCH(Physical Downlink Control Channel)であり、前記第１の制御チャネルの単位リソースがCCE(Control Channel Element)であり、前記第１の制御情報がDownlink grantであり、前記第２の制御チャネルがPUCCH(Physical Uplink Control Channel)であり、前記第２の制御情報がACK(Acknowledgement)又はNACK(Negative Acknowledgement)であることを特徴とする。【０１４５】
また、本発明の第３の実施例は、前記リソース割当手段は、第１の制御情報を送信するのに用いられる単位リソースの個数うち、最大の個数をＭに設定することを特徴とする。【０１４６】
また、本発明の第４の実施例は、前記リソース割当手段は、第１の制御情報を送信するのに用いられる単位リソースの個数うち、最小の個数にＭを設定することを特徴とする。【０１４７】
また、本発明の第５の実施例は、前記リソース割当手段は、第１の制御情報を送信するのに用いられる単位リソースの個数に応じてＭを規則的に変化させることを特徴とする。【０１４８】
また、本発明の第６の実施例は、前記リソース割当手段は、第２の制御チャネルを用いて第２の制御情報を送信する移動局を、優先的に第１の制御チャネルに割り当てることを特徴とする。【０１４９】
また、本発明の第７の実施例は、前記リソース割当手段は、第１の制御情報を受信する移動局のうち、前記第１の制御情報を送信するに用いられる単位リソース数がＭである移動局を、優先的に第１の制御チャネルに割り当てることを特徴とする。【０１５０】
また、本発明の第８の実施例は、前記リソース割当手段は、前記第１の制御情報と対応付けられた前記第２の制御ャネルのリソースを用いない移動局に、前記第１の制御情報を送信するのに用いられなかった第１の制御ャネルの単位リソースを割り当てることを特徴とする。【０１５１】
また、本発明の第９の実施例は、前記リソース割当手段は、前記第１の制御情報と対応付けられた前記第２の制御ャネルのリソースを用いない移動局に、前記第１の制御情報と対応付けられない第２の制御チャネルのリソースを割り当てることを特徴とする。【０１５２】
また、本発明の第１０の実施例は、前記基地局及び前記移動局は、前記基本リソース又は前記基本リソースを構成する単位リソースの識別情報と、前記第２の制御チャンネルのリソースの識別情報との対応関係に関する対応関係情報を有し、前記基地局のリソース割当手段は、前記対応関係情報に基づいて、前記第１の制御情報と前記第２の制御チャネルのリソースとを対応づけ、前記移動局の第２の制御情報送信手段は、受信した第１の制御情報の送信に用いられた基本リソース又は前記基本リソースを構成する単位リソースの識別情報と、前記対応関係情報とに基づいて、前記受信した第１の制御情報に対応する第２の制御チャネルのリソースを判断することを特徴とする。【０１５３】
本発明の第１１の実施例は、第１の制御情報が送信される第１の制御チャネルのＭ個（Ｍは２以上の整数）の単位リソースを基本リソースとし、前記基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、前記割り当てた第１の制御情報を前記移動局に送信する第１の制御情報送信手段とを有することを特徴とする基地局である。【０１５４】
また、本発明の第１２の実施例は、前記第１の制御チャネルがPDCCH(Physical Downlink Control Channel)であり、前記第１の制御チャネルの単位リソースがCCE(Control Channel Element)であり、前記第１の制御情報がDownlink grantであり、前記第２の制御チャネルがPUCCH(Physical Uplink Control Channel)であり、前記第２の制御情報がACK(Acknowledgement)又はNACK(Negative Acknowledgement)であることを特徴とする。【０１５５】
また、本発明の第１３の実施例は、前記リソース割当手段は、第１の制御情報を送信するのに用いられる単位リソースの個数うち、最大の個数をＭに設定することを特徴とする。【０１５６】
また、本発明の第１４の実施例は、前記リソース割当手段は、第１の制御情報を送信するのに用いられる単位リソースの個数うち、最小の個数にＭを設定することを特徴とする。【０１５７】
また、本発明の第１５の実施例は、前記リソース割当手段は、第１の制御情報を送信するのに用いられる単位リソースの個数に応じてＭを規則的変化させることを特徴とする。【０１５８】
また、本発明の第１６の実施例は、前記リソース割当手段は、第２の制御チャネルを用いて第２の制御情報を送信する移動局を、優先的に第１の制御チャネルに割り当てることを特徴とする。【０１５９】
また、本発明の第１７の実施例は、前記リソース割当手段は、第１の制御情報を受信する移動局のうち、前記第１の制御情報を送信するに用いられる単位リソース数がＭである移動局を、優先的に第１の制御チャネルに割り当てることを特徴とする。【０１６０】
また、本発明の第１８の実施例は、前記リソース割当手段は、前記第１の制御情報と対応付けられた前記第２の制御ャネルのリソースを用いない移動局に、前記第１の制御情報を送信するのに用いられなかった第１の制御ャネルの単位リソースを割り当てることを特徴とする。【０１６１】
また、本発明の第１９の実施例は、前記リソース割当手段は、前記第１の制御情報と対応付けられた前記第２の制御ャネルのリソースを用いない移動局に、前記第１の制御情報と対応付けられない第２の制御チャネルのリソースを割り当てることを特徴とする。【０１６２】
また、本発明の第２０の実施例は、前記基地局は、前記基本リソース又は前記基本リソースを構成する単位リソースの識別情報と、前記第２の制御チャンネルのリソースの識別情報との対応関係に関する対応関係情報を有し、前記リソース割当手段は、前記対応関係情報に基づいて、前記第１の制御情報と前記第２の制御チャネルのリソースとを対応づけることを特徴とする。【０１６３】
本発明の第２１の実施例は、基地局からの第１の制御情報が送信される第１の制御チャネルのＭ個（Ｍは２以上の整数）の単位リソースを基本リソースとし、前記基本リソースと第２の制御情報が送信される第２の制御チャネルのリソースとが対応付けられ、前記基本リソースの少なくとも一部を用いて送信されてくる第１の制御情報を受信し、受信した第１の制御情報と対応する第２の制御チャネルのリソースを用いて、第２の制御情報を送信する移動局であって、前記基本リソース又は前記基本リソースを構成する単位リソースと、第２の制御情報を送信する第２の制御チャネルのリソースとの対応関係の情報である対応関係情報と、受信した第１の制御情報の基本リソース又は前記基本リソースを構成する単位リソースの情報と、前記対応関係情報とに基づいて、前記受信した第１の制御情報と対応する第２の制御チャネルのリソースを判断する制御情報送信手段とを有することを特徴とする移動局である。【０１６４】
また、本発明の第２２の実施例は、前記第１の制御チャネルがPDCCH(Physical Downlink Control Channel)であり、前記第１の制御チャネルの単位リソースがCCE(Control Channel Element)であり、前記第１の制御情報がDownlink grantであり、前記第２の制御チャネルがPUCCH(Physical Uplink Control Channel)であり、前記第２の制御情報がACK(Acknowledgement)又はNACK(Negative Acknowledgement)であることを特徴とする。【０１６５】
また、本発明の第２３の実施例は、前記Ｍが、第１の制御情報を送信するのに用いられる単位リソースの個数うち、最大の個数であることを特徴とする。【０１６６】
また、本発明の第２４の実施例は、前記Ｍが、第１の制御情報を送信するのに用いられる単位リソースの個数うち、最小の個数であることを特徴とする。【０１６７】
また、本発明の第２５の実施例は、前記Ｍが、第１の制御情報を送信するのに用いられる単位リソースの個数に応じて、規則的に変化することを特徴とする。【０１６８】
本発明の第２６の実施例は、第１の制御情報が送信される第１の制御チャネルのＭ個（Ｍは２以上の整数）の単位リソースを基本リソースとし、前記基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当処理と、前記割り当てた第１の制御情報を前記移動局に送信する第１の制御情報送信処理とを基地局に実行させることを特徴とするプログラムである。【０１６９】
また、本発明の第２７の実施例は、前記第１の制御チャネルがPDCCH(Physical Downlink Control Channel)であり、前記第１の制御チャネルの単位リソースがCCE(Control Channel Element)であり、前記第１の制御情報がDownlink grantであり、前記第２の制御チャネルがPUCCH(Physical Uplink Control Channel)であり、前記第２の制御情報がACK(Acknowledgement)又はNACK(Negative Acknowledgement)であることを特徴とする。【０１７０】
また、本発明の第２８の実施例は、前記リソース割当処理は、第１の制御情報を送信するのに用いられる単位リソースの個数うち、最大の個数をＭに設定することを特徴とする。【０１７１】
また、本発明の第２９の実施例は、前記リソース割当処理は、第１の制御情報を送信するのに用いられる単位リソースの個数うち、最小の個数にＭを設定することを特徴とする。【０１７２】
また、本発明の第３０の実施例は、前記リソース割当処理は、第１の制御情報を送信するのに用いられる単位リソースの個数に応じてＭを規則的に変化させることを特徴とする。【０１７３】
また、本発明の第３１の実施例は、前記リソース割当処理は、前記基本リソース又は前記基本リソースを構成する単位リソースの識別情報と、前記第２の制御チャンネルのリソースの識別情報との対応関係に関する対応関係情報に基づいて、前記第１の制御情報と前記第２の制御チャネルのリソースとを対応づけることを特徴とする。【０１７４】
本発明の第３２の実施例は、基地局からの第１の制御情報が送信される第１の制御チャネルのＭ個（Ｍは２以上の整数）の単位リソースを基本リソースとし、前記基本リソースと第２の制御情報が送信される第２の制御チャネルのリソースとが対応付けられ、前記基本リソースの少なくとも一部を用いて送信されてくる第１の制御情報を受信し、受信した第１の制御情報と対応する第２の制御チャネルのリソースを用いて、第２の制御情報を送信する移動局のプログラムであって、前記基本リソース又は前記基本リソースを構成する単位リソースと、第２の制御情報を送信する第２の制御チャネルのリソースとの対応関係の情報である対応関係情報と、受信した第１の制御情報の基本リソース又は前記基本リソースを構成する単位リソースの情報とに基づいて、前記受信した第１の制御情報と対応する第２の制御チャネルのリソースを判断する制御情報送信処理を移動局に実行させることを特徴とするプログラムである。【０１７５】
また、本発明の第３３の実施例は、前記第１の制御チャネルがPDCCH(Physical Downlink Control Channel)であり、前記第１の制御チャネルの単位リソースがCCE(Control Channel Element)であり、前記第１の制御情報がDownlink grantであり、前記第２の制御チャネルがPUCCH(Physical Uplink Control Channel)であり、前記第２の制御情報がACK(Acknowledgement)又はNACK(Negative Acknowledgement)であることを特徴とする。【０１７６】
また、本発明の第３４の実施例は、前記Ｍが、第１の制御情報を送信するのに用いられる単位リソースの個数うち、最大の個数であることを特徴とする。【０１７７】
また、本発明の第３５の実施例は、前記Ｍが、第１の制御情報を送信するのに用いられる単位リソースの個数うち、最小の個数であることを特徴とする。【０１７８】
また、本発明の第３６の実施例は、前記Ｍが、第１の制御情報を送信するのに用いられる単位リソースの個数に応じて、規則的に変化することを特徴とする。【０１７９】
また、本発明の第３７の実施例は、第１の無線局が、第１の制御チャネルの単位リソースを少なくとも１個以上用いて、第１の制御情報を第２の無線局に送信し、第２の無線局は、第２の制御情報を、前記第１の制御チャネルのＭ個（Ｍは２以上の整数）の単位リソースからなるリソースに対応付けられた第２の制御チャネルのリソースを用いて送信することを特徴とする通信方法である。【０１８０】
また、本発明の第３８の実施例は、前記第１の制御チャネルがPDCCH(Physical Downlink Control Channel)であり、前記第１の制御チャネルの単位リソースがCCE(Control Channel Element)であり、前記第１の制御情報がDownlink grantであり、前記第２の制御チャネルがPUCCH(Physical Uplink Control Channel)であり、前記第２の制御情報がACK(Acknowledgement)又はNACK(Negative Acknowledgement)であることを特徴とする。【０１８１】
また、本発明の第３９の実施例は、前記Ｍは、第１の制御情報を送信するのに用いられる単位リソースの個数のうち、最大のものであることを特徴とする。【０１８２】
また、本発明の第４０の実施例は、前記Ｍは、第１の制御情報を送信するのに用いられる単位リソースの個数のうち、最小のものであることを特徴とする。【０１８３】
また、本発明の第４１の実施例は、前記Ｍを、第１の制御情報を送信するのに用いられる単位リソースの個数に応じて規則的に変化させることを特徴とする。【０１８４】
また、本発明の第４２の実施例は、前記第１の無線局及び前記第２の無線局は、第１の制御チャネルのリソースの識別情報と、第２の制御チャンネルのリソースとの対応関係に関する対応関係情報を有し、前記第１の無線局は、前記対応関係情報に基づいて、第２の制御チャネルのリソースを前記第２の無線局に割り当て、前記第２の無線局は、前記第１の制御情報の送信に用いられたリソースの識別情報と前記対応関係情報とに基づいて、前記第１の無線局が割り当てた第２の制御チャネルのリソースを判断することを特徴とする。【０１８５】
本発明の第４３の実施例は、移動局と基地局とを有する通信システムの通信方法であって、基地局は、第１の制御情報を送信する第１の制御チャネルのＭ個（Ｍは２以上の整数）の単位リソースを基本リソースとし、前記基本リソースと、移動局からの第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けることを特徴とする通信方法である。【０１８６】
本発明の第４４の実施例は、移動局と基地局とを有し、前記基地局からの第１の制御情報が送信される第１の制御チャネルのＭ個（Ｍは２以上の整数）の単位リソースを基本リソースとし、前記基本リソースと第２の制御情報が送信される第２の制御チャネルのリソースとが対応付けられ、前記基本リソースの少なくとも一部を用いて送信されてくる第１の制御情報を受信し、受信した第１の制御情報と対応する第２の制御チャネルのリソースを用いて、第２の制御情報を移動局が送信する通信システムにおける通信方法であって、移動局は、前記基本リソース又は前記基本リソースを構成する単位リソースと、第２の制御情報を送信する第２の制御チャネルのリソースとの対応関係の情報である対応関係情報と、受信した第１の制御情報の基本リソース又は前記基本リソースを構成する単位リソースの情報とに基づいて、前記受信した第１の制御情報と対応する第２の制御チャネルのリソースを判断することを特徴とする通信方法である。【０１８７】
本発明の第４５の実施例は、第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、前記割り当てた第１の制御情報を前記移動局に送信する第１の制御情報送信手段とを有する基地局と、前記第１の制御情報を受信し、前記第１の制御情報と対応付けられた第２の制御チャネルのリソースを用いて前記第２の制御情報を送信する第２の制御情報送信手段を有する移動局とを有することを特徴とする通信システムである。【０１８８】
本発明の第４６の実施例は、第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、前記割り当てた第１の制御情報を前記移動局に送信する第１の制御情報送信手段とを有することを特徴とする基地局である。【０１８９】
本発明の第４７の実施例は、第１の制御情報の複数のサイズに対応する複数の基本リソースを設け、各基本リソースに第２の制御情報が送信される第２の制御チャネルのリソースを対応付け、前記基本リソースの少なくとも一部を用いて、基地局から送信されてくる第１の制御情報を受信し、受信した第１の制御情報と対応する第２の制御チャネルのリソースを用いて、第２の制御情報を送信する移動局であって、前記基本リソースと、第２の制御情報を送信する第２の制御チャネルのリソースとの対応関係の情報である対応関係情報と、受信した第１の制御情報の基本リソースの情報と、前記対応関係情報とに基づいて、前記受信した第１の制御情報と対応する第２の制御チャネルのリソースを判断する制御情報送信手段とを有することを特徴とする移動局である。【０１９０】
本発明の第４８の実施例は、基地局と移動局とを有する通信システムにおける通信方法であって、基地局は、第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付け、前記割り当てた第１の制御情報を前記移動局に送信し、移動局は、前記第１の制御情報を受信し、前記第１の制御情報と対応付けられた第２の制御チャネルのリソースを用いて前記第２の制御情報を送信することを特徴とする通信方法である。【０１９１】
本発明の第４９の実施例は、基地局と移動局とを有する通信システムにおける基地局の通信方法であって、第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付け、前記割り当てた第１の制御情報を前記移動局に送信することを特徴とする通信方法である。【０１９２】
本発明の第５０の実施例は、第１の制御情報の複数のサイズに対応する複数の基本リソースを設け、各基本リソースに第２の制御情報が送信される第２の制御チャネルのリソースを対応付け、前記基本リソースの少なくとも一部を用いて、基地局から送信されてくる第１の制御情報を受信し、受信した第１の制御情報と対応する第２の制御チャネルのリソースを用いて、第２の制御情報を送信する移動局の通信方法であって、前記基本リソースと、第２の制御情報を送信する第２の制御チャネルのリソースとの対応関係の情報である対応関係情報と、受信した第１の制御情報の基本リソースの情報とに基づいて、前記受信した第１の制御情報と対応する第２の制御チャネルのリソースを判断することを特徴とする通信方法である。【０１９３】
以上好ましい実施の形態及び実施例をあげて本発明を説明したが、本発明は必ずしも上記実施の形態及び実施例に限定されるものではなく、その技術的思想の範囲内において様々に変形し実施することが出来る。【０１９４】
本出願は、２００７年８月１０日に出願された日本出願特願２００７−２０９７３９号を基礎とする優先権を主張し、その開示の全てをここに取り込む。
【図１】
2009022565.tif 000004
【図２】
2009022565.tif 000005
【図３】
2009022565.tif 000006
【図４】
2009022565.tif 000007
【図５】
2009022565.tif 000008
【図６】
2009022565.tif 000009
【図７】
2009022565.tif 000010
【図８】
2009022565.tif 000011
【図９】
2009022565.tif 000012
【図１０】
2009022565.tif 000013
【図１１】
2009022565.tif 000014
【図１２】
2009022565.tif 000015
【図１３】
2009022565.tif 000016
【図１４】
2009022565.tif 000017
【図１５】
2009022565.tif 000018
【図１６】
2009022565.tif 000019
【図１７】
2009022565.tif 000020
【図１８】
2009022565.tif 000021
【図１９】
2009022565.tif 000022
【図２０】
2009022565.tif 000023
【図２１】
2009022565.tif 000024
【図２２】
2009022565.tif 000025
【図２３】
2009022565.tif 000026
【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
第１の制御情報が送信される第１の制御チャネルのＭ個（Ｍは２以上の整数）の単位リソースを基本リソースとし、前記基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、
前記割り当てた第１の制御情報を前記移動局に送信する第１の制御情報送信手段と
を有する基地局と、
前記第１の制御情報を受信し、前記第１の制御情報と対応付けられた第２の制御チャネルのリソースを用いて前記第２の制御情報を送信する第２の制御情報送信手段を
有する移動局と
を有することを特徴とする通信システム。
【請求項２】
前記第１の制御チャネルがＰＤＣＣＨ（Ｐｈｙｓｉｃａｌ  Ｄｏｗｎｌｉｎｋ  Ｃｏｎｔｒｏｌ  Ｃｈａｎｎｅｌ）であり、前記第１の制御チャネルの単位リソースがＣＣＥ（Ｃｏｎｔｒｏｌ  Ｃｈａｎｎｅｌ  Ｅｌｅｍｅｎｔ）であり、前記第１の制御情報がＤｏｗｎｌｉｎｋ  ｇｒａｎｔであり、前記第２の制御チャネルがＰＵＣＣＨ（Ｐｈｙｓｉｃａｌ  Ｕｐｌｉｎｋ  Ｃｏｎｔｒｏｌ  Ｃｈａｎｎｅｌ）であり、前記第２の制御情報がＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）であることを特徴とする請求項１に記載の通信システム。
【請求項３】
前記リソース割当手段は、第１の制御情報を送信するのに用いられる単位リソースの個数うち、最大の個数をＭに設定することを特徴とする請求項１又は請求項２に記載の通信方法。
【請求項４】
前記リソース割当手段は、第１の制御情報を送信するのに用いられる単位リソースの個数うち、最小の個数にＭを設定することを特徴とする請求項１又は請求項２に記載の通信システム。
【請求項５】
前記リソース割当手段は、第１の制御情報を送信するのに用いられる単位リソースの個数に応じてＭを規則的に変化させることを特徴とする請求項１又は請求項２に記載の通信システム。
【請求項６】
前記リソース割当手段は、第２の制御チャネルを用いて第２の制御情報を送信する移動局を、優先的に第１の制御チャネルに割り当てることを特徴とする請求項１から請求項５のいずれかに記載の通信システム。
【請求項７】
前記リソース割当手段は、第１の制御情報を受信する移動局のうち、前記第１の制御情報を送信するに用いられる単位リソース数がＭである移動局を、優先的に第１の制御チャネルに割り当てることを特徴とする請求項１から請求項６のいずれかに記載の通信システム。
【請求項８】
前記リソース割当手段は、前記第１の制御情報と対応付けられた前記第２の制御ャネルのリソースを用いない移動局に、前記第１の制御情報を送信するのに用いられなかった第１の制御ャネルの単位リソースを割り当てることを特徴とする請求項１から請求項７のいずれかに記載の通信システム。
【請求項９】
前記リソース割当手段は、前記第１の制御情報と対応付けられた前記第２の制御ャネルのリソースを用いない移動局に、前記第１の制御情報と対応付けられない第２の制御チャネルのリソースを割り当てることを特徴とする請求項１から請求項８のいずれかに記載の通信システム。
【請求項１０】
前記基地局及び前記移動局は、前記基本リソース又は前記基本リソースを構成する単位リソースの識別情報と、前記第２の制御チャンネルのリソースの識別情報との対応関係に関する対応関係情報を有し、
前記基地局のリソース割当手段は、前記対応関係情報に基づいて、前記第１の制御情報と前記第２の制御チャネルのリソースとを対応づけ、
前記移動局の第２の制御情報送信手段は、受信した第１の制御情報の送信に用いられた基本リソース又は前記基本リソースを構成する単位リソースの識別情報と、前記対応関係情報とに基づいて、前記受信した第１の制御情報に対応する第２の制御チャネルのリソースを判断する
ことを特徴とする請求項１から請求項９のいずれかに記載の通信システム。
【請求項１１】
第１の制御情報が送信される第１の制御チャネルのＭ個（Ｍは２以上の整数）の単位リソースを基本リソースとし、前記基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、
前記割り当てた第１の制御情報を前記移動局に送信する第１の制御情報送信手段と
を有することを特徴とする基地局。
【請求項１２】
前記第１の制御チャネルがＰＤＣＣＨ（Ｐｈｙｓｉｃａｌ  Ｄｏｗｎｌｉｎｋ  Ｃｏｎｔｒｏｌ  Ｃｈａｎｎｅｌ）であり、前記第１の制御チャネルの単位リソースがＣＣＥ（Ｃｏｎｔｒｏｌ  Ｃｈａｎｎｅｌ  Ｅｌｅｍｅｎｔ）であり、前記第１の制御情報がＤｏｗｎｌｉｎｋ  ｇｒａｎｔであり、前記第２の制御チャネルがＰＵＣＣＨ（Ｐｈｙｓｉｃａｌ  Ｕｐｌｉｎｋ  Ｃｏｎｔｒｏｌ  Ｃｈａｎｎｅｌ）であり、前記第２の制御情報がＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）であることを特徴とする請求項１１に記載の基地局。
【請求項１３】
前記リソース割当手段は、第１の制御情報を送信するのに用いられる単位リソースの個数うち、最大の個数をＭに設定することを特徴とする請求項１１又は請求項１２に記載の基地局。
【請求項１４】
前記リソース割当手段は、第１の制御情報を送信するのに用いられる単位リソースの個数うち、最小の個数にＭを設定することを特徴とする請求項１１又は請求項１２に記載の基地局。
【請求項１５】
前記リソース割当手段は、第１の制御情報を送信するのに用いられる単位リソースの個数に応じてＭを規則的変化させることを特徴とする請求項１１又は請求項１２に記載の基地局。
【請求項１６】
前記リソース割当手段は、第２の制御チャネルを用いて第２の制御情報を送信する移動局を、優先的に第１の制御チャネルに割り当てることを特徴とする請求項１１から請求項１５のいずれかに記載の基地局。
【請求項１７】
前記リソース割当手段は、第１の制御情報を受信する移動局のうち、前記第１の制御情報を送信するに用いられる単位リソース数がＭである移動局を、優先的に第１の制御チャネルに割り当てることを特徴とする請求項１１から請求項１６のいずれかに記載の基地局。
【請求項１８】
前記リソース割当手段は、前記第１の制御情報と対応付けられた前記第２の制御ャネルのリソースを用いない移動局に、前記第１の制御情報を送信するのに用いられなかった第１の制御ャネルの単位リソースを割り当てることを特徴とする請求項１１から請求項１７のいずれかに記載の基地局。
【請求項１９】
前記リソース割当手段は、前記第１の制御情報と対応付けられた前記第２の制御ャネルのリソースを用いない移動局に、前記第１の制御情報と対応付けられない第２の制御チャネルのリソースを割り当てることを特徴とする請求項１１から請求項１８のいずれかに記載の基地局。
【請求項２０】
前記基地局は、
前記基本リソース又は前記基本リソースを構成する単位リソースの識別情報と、前記第２の制御チャンネルのリソースの識別情報との対応関係に関する対応関係情報を有し、
前記リソース割当手段は、前記対応関係情報に基づいて、前記第１の制御情報と前記第２の制御チャネルのリソースとを対応づける
ことを特徴とする請求項１１から請求項１９のいずれかに記載の基地局。
【請求項２１】
基地局からの第１の制御情報が送信される第１の制御チャネルのＭ個（Ｍは２以上の整数）の単位リソースを基本リソースとし、前記基本リソースと第２の制御情報が送信される第２の制御チャネルのリソースとが対応付けられ、前記基本リソースの少なくとも一部を用いて送信されてくる第１の制御情報を受信し、受信した第１の制御情報と対応する第２の制御チャネルのリソースを用いて、第２の制御情報を送信する移動局であって、
前記基本リソース又は前記基本リソースを構成する単位リソースと、第２の制御情報を送信する第２の制御チャネルのリソースとの対応関係の情報である対応関係情報と、
受信した第１の制御情報の基本リソース又は前記基本リソースを構成する単位リソースの情報と、前記対応関係情報とに基づいて、前記受信した第１の制御情報と対応する第２の制御チャネルのリソースを判断する制御情報送信手段と
を有することを特徴とする移動局。
【請求項２２】
前記第１の制御チャネルがＰＤＣＣＨ（Ｐｈｙｓｉｃａｌ  Ｄｏｗｎｌｉｎｋ  Ｃｏｎｔｒｏｌ  Ｃｈａｎｎｅｌ）であり、前記第１の制御チャネルの単位リソースがＣＣＥ（Ｃｏｎｔｒｏｌ  Ｃｈａｎｎｅｌ  Ｅｌｅｍｅｎｔ）であり、前記第１の制御情報がＤｏｗｎｌｉｎｋ  ｇｒａｎｔであり、前記第２の制御チャネルがＰＵＣＣＨ（Ｐｈｙｓｉｃａｌ  Ｕｐｌｉｎｋ  Ｃｏｎｔｒｏｌ  Ｃｈａｎｎｅｌ）であり、前記第２の制御情報がＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）であることを特徴とする請求項２１に記載の移動局。
【請求項２３】
前記Ｍが、第１の制御情報を送信するのに用いられる単位リソースの個数うち、最大の個数であることを特徴とする請求項２１又は請求項２２に記載の移動局。
【請求項２４】
前記Ｍが、第１の制御情報を送信するのに用いられる単位リソースの個数うち、最小の個数であることを特徴とする請求項２１又は請求項２２に記載の移動局。
【請求項２５】
前記Ｍが、第１の制御情報を送信するのに用いられる単位リソースの個数に応じて、規則的に変化することを特徴とする請求項２１又は請求項２２に記載の移動局。
【請求項２６】
第１の制御情報が送信される第１の制御チャネルのＭ個（Ｍは２以上の整数）の単位リソースを基本リソースとし、前記基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当処理と、
前記割り当てた第１の制御情報を前記移動局に送信する第１の制御情報送信処理と
を基地局に実行させることを特徴とするプログラム。
【請求項２７】
前記第１の制御チャネルがＰＤＣＣＨ（Ｐｈｙｓｉｃａｌ  Ｄｏｗｎｌｉｎｋ  Ｃｏｎｔｒｏｌ  Ｃｈａｎｎｅｌ）であり、前記第１の制御チャネルの単位リソースがＣＣＥ（Ｃｏｎｔｒｏｌ  Ｃｈａｎｎｅｌ  Ｅｌｅｍｅｎｔ）であり、前記第１の制御情報がＤｏｗｎｌｉｎｋ  ｇｒａｎｔであり、前記第２の制御チャネルがＰＵＣＣＨ（Ｐｈｙｓｉｃａｌ  Ｕｐｌｉｎｋ  Ｃｏｎｔｒｏｌ  Ｃｈａｎｎｅｌ）であり、前記第２の制御情報がＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）であることを特徴とする請求項２６に記載のプログラム。
【請求項２８】
前記リソース割当処理は、第１の制御情報を送信するのに用いられる単位リソースの個数うち、最大の個数をＭに設定することを特徴とする請求項２６又は請求項２７に記載のプログラム。
【請求項２９】
前記リソース割当処理は、第１の制御情報を送信するのに用いられる単位リソースの個数うち、最小の個数にＭを設定することを特徴とする請求項２６又は請求項２７に記載のプログラム。
【請求項３０】
前記リソース割当処理は、第１の制御情報を送信するのに用いられる単位リソースの個数に応じてＭを規則的に変化させることを特徴とする請求項２６又は請求項２７に記載のプログラム。
【請求項３１】
前記リソース割当処理は、前記基本リソース又は前記基本リソースを構成する単位リソースの識別情報と、前記第２の制御チャンネルのリソースの識別情報との対応関係に関する対応関係情報に基づいて、前記第１の制御情報と前記第２の制御チャネルのリソースとを対応づける
ことを特徴とする請求項２６から請求項３０のいずれかに記載のプログラム。
【請求項３２】
基地局からの第１の制御情報が送信される第１の制御チャネルのＭ個（Ｍは２以上の整数）の単位リソースを基本リソースとし、前記基本リソースと第２の制御情報が送信される第２の制御チャネルのリソースとが対応付けられ、前記基本リソースの少なくとも一部を用いて送信されてくる第１の制御情報を受信し、受信した第１の制御情報と対応する第２の制御チャネルのリソースを用いて、第２の制御情報を送信する移動局のプログラムであって、
前記基本リソース又は前記基本リソースを構成する単位リソースと、第２の制御情報を送信する第２の制御チャネルのリソースとの対応関係の情報である対応関係情報と、受信した第１の制御情報の基本リソース又は前記基本リソースを構成する単位リソースの情報とに基づいて、前記受信した第１の制御情報と対応する第２の制御チャネルのリソースを判断する制御情報送信処理
を移動局に実行させることを特徴とするプログラム。
【請求項３３】
前記第１の制御チャネルがＰＤＣＣＨ（Ｐｈｙｓｉｃａｌ  Ｄｏｗｎｌｉｎｋ  Ｃｏｎｔｒｏｌ  Ｃｈａｎｎｅｌ）であり、前記第１の制御チャネルの単位リソースがＣＣＥ（Ｃｏｎｔｒｏｌ  Ｃｈａｎｎｅｌ  Ｅｌｅｍｅｎｔ）であり、前記第１の制御情報がＤｏｗｎｌｉｎｋ  ｇｒａｎｔであり、前記第２の制御チャネルがＰＵＣＣＨ（Ｐｈｙｓｉｃａｌ  Ｕｐｌｉｎｋ  Ｃｏｎｔｒｏｌ  Ｃｈａｎｎｅｌ）であり、前記第２の制御情報がＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）であることを特徴とする請求項３２に記載のプログラム。
【請求項３４】
前記Ｍが、第１の制御情報を送信するのに用いられる単位リソースの個数うち、最大の個数であることを特徴とする請求項３２又は請求項３３に記載のプログラム。
【請求項３５】
前記Ｍが、第１の制御情報を送信するのに用いられる単位リソースの個数うち、最小の個数であることを特徴とする請求項３２又は請求項３３に記載のプログラム。
【請求項３６】
前記Ｍが、第１の制御情報を送信するのに用いられる単位リソースの個数に応じて、規則的に変化することを特徴とする請求項３２又は請求項３３に記載のプログラム。
【請求項３７】
第１の無線局が、第１の制御チャネルの単位リソースを少なくとも１個以上用いて、第１の制御情報を第２の無線局に送信し、
第２の無線局は、第２の制御情報を、前記第１の制御チャネルのＭ個（Ｍは２以上の整数）の単位リソースからなるリソースに対応付けられた第２の制御チャネルのリソースを用いて送信する
ことを特徴とする通信方法。
【請求項３８】
前記第１の制御チャネルがＰＤＣＣＨ（Ｐｈｙｓｉｃａｌ  Ｄｏｗｎｌｉｎｋ  Ｃｏｎｔｒｏｌ  Ｃｈａｎｎｅｌ）であり、前記第１の制御チャネルの単位リソースがＣＣＥ（Ｃｏｎｔｒｏｌ  Ｃｈａｎｎｅｌ  Ｅｌｅｍｅｎｔ）であり、前記第１の制御情報がＤｏｗｎｌｉｎｋ  ｇｒａｎｔであり、前記第２の制御チャネルがＰＵＣＣＨ（Ｐｈｙｓｉｃａｌ  Ｕｐｌｉｎｋ  Ｃｏｎｔｒｏｌ  Ｃｈａｎｎｅｌ）であり、前記第２の制御情報がＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）であることを特徴とする請求項３７に記載の通信方法。
【請求項３９】
前記Ｍは、第１の制御情報を送信するのに用いられる単位リソースの個数のうち、最大のものであることを特徴とする請求項３７又は請求項３８に記載の通信方法。
【請求項４０】
前記Ｍは、第１の制御情報を送信するのに用いられる単位リソースの個数のうち、最小のものであることを特徴とする請求項３７又は請求項３８に記載の通信方法。
【請求項４１】
前記Ｍを、第１の制御情報を送信するのに用いられる単位リソースの個数に応じて規則的に変化させることを特徴とする請求項３７又は請求項３８に記載の通信方法。
【請求項４２】
前記第１の無線局及び前記第２の無線局は、第１の制御チャネルのリソースの識別情報と、第２の制御チャンネルのリソースとの対応関係に関する対応関係情報を有し、
前記第１の無線局は、前記対応関係情報に基づいて、第２の制御チャネルのリソースを前記第２の無線局に割り当て、
前記第２の無線局は、前記第１の制御情報の送信に用いられたリソースの識別情報と前記対応関係情報とに基づいて、前記第１の無線局が割り当てた第２の制御チャネルのリソースを判断する
ことを特徴とする請求項３７から請求項４１のいずれかに記載の通信方法。
【請求項４３】
移動局と基地局とを有する通信システムの通信方法であって、
基地局は、
第１の制御情報を送信する第１の制御チャネルのＭ個（Ｍは２以上の整数）の単位リソースを基本リソースとし、前記基本リソースと、移動局からの第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けることを特徴とする通信方法。
【請求項４４】
移動局と基地局とを有し、前記基地局からの第１の制御情報が送信される第１の制御チャネルのＭ個（Ｍは２以上の整数）の単位リソースを基本リソースとし、前記基本リソースと第２の制御情報が送信される第２の制御チャネルのリソースとが対応付けられ、前記基本リソースの少なくとも一部を用いて送信されてくる第１の制御情報を受信し、受信した第１の制御情報と対応する第２の制御チャネルのリソースを用いて、第２の制御情報を移動局が送信する通信システムにおける通信方法であって、
移動局は、
前記基本リソース又は前記基本リソースを構成する単位リソースと、第２の制御情報を送信する第２の制御チャネルのリソースとの対応関係の情報である対応関係情報と、受信した第１の制御情報の基本リソース又は前記基本リソースを構成する単位リソースの情報とに基づいて、前記受信した第１の制御情報と対応する第２の制御チャネルのリソースを判断する
ことを特徴とする通信方法。
【請求項４５】
第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、
前記割り当てた第１の制御情報を前記移動局に送信する第１の制御情報送信手段と
を有する基地局と、
前記第１の制御情報を受信し、前記第１の制御情報と対応付けられた第２の制御チャネルのリソースを用いて前記第２の制御情報を送信する第２の制御情報送信手段を
有する移動局と
を有することを特徴とする通信システム。
【請求項４６】
第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付けるリソース割当手段と、
前記割り当てた第１の制御情報を前記移動局に送信する第１の制御情報送信手段と
を有することを特徴とする基地局。
【請求項４７】
第１の制御情報の複数のサイズに対応する複数の基本リソースを設け、各基本リソースに第２の制御情報が送信される第２の制御チャネルのリソースを対応付け、前記基本リソースの少なくとも一部を用いて、基地局から送信されてくる第１の制御情報を受信し、受信した第１の制御情報と対応する第２の制御チャネルのリソースを用いて、第２の制御情報を送信する移動局であって、
前記基本リソースと、第２の制御情報を送信する第２の制御チャネルのリソースとの対応関係の情報である対応関係情報と、
受信した第１の制御情報の基本リソースの情報と、前記対応関係情報とに基づいて、前記受信した第１の制御情報と対応する第２の制御チャネルのリソースを判断する制御情報送信手段と
を有することを特徴とする移動局。
【請求項４８】
基地局と移動局とを有する通信システムにおける通信方法であって、
基地局は、
第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付け、
前記割り当てた第１の制御情報を前記移動局に送信し、
移動局は、
前記第１の制御情報を受信し、前記第１の制御情報と対応付けられた第２の制御チャネルのリソースを用いて前記第２の制御情報を送信する
ことを特徴とする通信方法。
【請求項４９】
基地局と移動局とを有する通信システムにおける基地局の通信方法であって、
第１の制御情報の複数のサイズに対応する複数の基本リソースを設け、各基本リソースに第２の制御情報が送信される第２の制御チャネルのリソースを対応付け、前記基本リソースの少なくとも一部を前記第１の制御情報に割り当て、前記基本リソースの少なくとも一部が割り当てられた第１の制御情報と、前記第１の制御情報に割り当てた基本リソースのいずれかに対応する第２の制御チャネルのリソースとを対応付け、
前記割り当てた第１の制御情報を前記移動局に送信する
ことを特徴とする通信方法。
【請求項５０】
第１の制御情報の複数のサイズに対応する複数の基本リソースを設け、各基本リソースに第２の制御情報が送信される第２の制御チャネルのリソースを対応付け、前記基本リソースの少なくとも一部を用いて、基地局から送信されてくる第１の制御情報を受信し、受信した第１の制御情報と対応する第２の制御チャネルのリソースを用いて、第２の制御情報を送信する移動局の通信方法であって、
前記基本リソースと、第２の制御情報を送信する第２の制御チャネルのリソースとの対応関係の情報である対応関係情報と、受信した第１の制御情報の基本リソースの情報とに基づいて、前記受信した第１の制御情報と対応する第２の制御チャネルのリソースを判断する
ことを特徴とする通信方法。
【請求項５１】
Ｄｏｗｎｌｉｎｋ  ｇｒａｎｔが送信されるＰＤＣＣＨ（Ｐｈｙｓｉｃａｌ  Ｄｏｗｎｌｉｎｋ  Ｃｏｎｔｒｏｌ  Ｃｈａｎｎｅｌ）のＭ個（Ｍは２以上の整数）のＣＣＥ（Ｃｏｎｔｒｏｌ  Ｃｈａｎｎｅｌ  Ｅｌｅｍｅｎｔ）を基本リソースとし、前記基本リソースにＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）が送信されるＰＵＣＣＨ（Ｐｈｙｓｉｃａｌ  Ｕｐｌｉｎｋ  Ｃｏｎｔｒｏｌ  Ｃｈａｎｎｅｌ）のリソースを対応付け、前記基本リソースの少なくとも一部を前記Ｄｏｗｎｌｉｎｋ  ｇｒａｎｔに割り当て、前記基本リソースの少なくとも一部が割り当てられたＤｏｗｎｌｉｎｋ  ｇｒａｎｔと、前記Ｄｏｗｎｌｉｎｋ  ｇｒａｎｔに割り当てた基本リソースのいずれかに対応するＰＵＣＣＨのリソースとを対応付けるリソース割当手段と、
前記割り当てたＤｏｗｎｌｉｎｋ  ｇｒａｎｔを移動局に送信する第１の制御情報送信手段と
を有する基地局と、
前記Ｄｏｗｎｌｉｎｋ  ｇｒａｎｔを受信し、前記Ｄｏｗｎｌｉｎｋ  ｇｒａｎｔと対応付けられたＰＵＣＣＨのリソースを用いてＡＣＫ又はＮＡＣＫを送信する第２の制御情報送信手段を
有する移動局と
を有し、
前記リソース割当手段は、Ｄｏｗｎｌｉｎｋ  ｇｒａｎｔを送信するのに用いられる単位リソースの個数うち、最大の個数をＭに設定する
ことを特徴とする通信システム。
【請求項５２】
Ｄｏｗｎｌｉｎｋ  ｇｒａｎｔが送信されるＰＤＣＣＨ（Ｐｈｙｓｉｃａｌ  Ｄｏｗｎｌｉｎｋ  Ｃｏｎｔｒｏｌ  Ｃｈａｎｎｅｌ）のＭ個（Ｍは２以上の整数）のＣＣＥ（Ｃｏｎｔｒｏｌ  Ｃｈａｎｎｅｌ  Ｅｌｅｍｅｎｔ）を基本リソースとし、前記基本リソースにＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）が送信されるＰＵＣＣＨ（Ｐｈｙｓｉｃａｌ  Ｕｐｌｉｎｋ  Ｃｏｎｔｒｏｌ  Ｃｈａｎｎｅｌ）のリソースを対応付け、前記基本リソースの少なくとも一部を前記Ｄｏｗｎｌｉｎｋ  ｇｒａｎｔに割り当て、前記基本リソースの少なくとも一部が割り当てられたＤｏｗｎｌｉｎｋ  ｇｒａｎｔと、前記Ｄｏｗｎｌｉｎｋ  ｇｒａｎｔに割り当てた基本リソースのいずれかに対応するＰＵＣＣＨのリソースとを対応付けるリソース割当手段と、
前記割り当てたＤｏｗｎｌｉｎｋ  ｇｒａｎｔを移動局に送信する第１の制御情報送信手段と
を有する基地局と、
前記Ｄｏｗｎｌｉｎｋ  ｇｒａｎｔを受信し、前記Ｄｏｗｎｌｉｎｋ  ｇｒａｎｔと対応付けられたＰＵＣＣＨのリソースを用いてＡＣＫ又はＮＡＣＫを送信する第２の制御情報送信手段を
有する移動局と
を有し、
前記リソース割当手段は、Ｄｏｗｎｌｉｎｋ  ｇｒａｎｔを送信するのに用いられる単位リソースの個数うち、最小の個数をＭに設定する
ことを特徴とする通信システム。
【請求項５３】
Ｄｏｗｎｌｉｎｋ  ｇｒａｎｔが送信されるＰＤＣＣＨ（Ｐｈｙｓｉｃａｌ  Ｄｏｗｎｌｉｎｋ  Ｃｏｎｔｒｏｌ  Ｃｈａｎｎｅｌ）のＭ個（Ｍは２以上の整数）のＣＣＥ（Ｃｏｎｔｒｏｌ  Ｃｈａｎｎｅｌ  Ｅｌｅｍｅｎｔ）を基本リソースとし、前記基本リソースにＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）が送信されるＰＵＣＣＨ（Ｐｈｙｓｉｃａｌ  Ｕｐｌｉｎｋ  Ｃｏｎｔｒｏｌ  Ｃｈａｎｎｅｌ）のリソースを対応付け、前記基本リソースの少なくとも一部を前記Ｄｏｗｎｌｉｎｋ  ｇｒａｎｔに割り当て、前記基本リソースの少なくとも一部が割り当てられたＤｏｗｎｌｉｎｋ  ｇｒａｎｔと、前記Ｄｏｗｎｌｉｎｋ  ｇｒａｎｔに割り当てた基本リソースのいずれかに対応するＰＵＣＣＨのリソースとを対応付けるリソース割当手段と、
前記割り当てたＤｏｗｎｌｉｎｋ  ｇｒａｎｔを移動局に送信する第１の制御情報送信手段と
を有する基地局と、
前記Ｄｏｗｎｌｉｎｋ  ｇｒａｎｔを受信し、前記Ｄｏｗｎｌｉｎｋ  ｇｒａｎｔと対応付けられたＰＵＣＣＨのリソースを用いてＡＣＫ又はＮＡＣＫを送信する第２の制御情報送信手段を
有する移動局と
を有し、
前記リソース割当手段は、Ｄｏｗｎｌｉｎｋ  ｇｒａｎｔを送信するのに用いられる単位リソースの個数に応じてＭを規則的に変化させる
ことを特徴とする通信システム。
【請求項５４】
Ｄｏｗｎｌｉｎｋ  ｇｒａｎｔが送信されるＰＤＣＣＨ（Ｐｈｙｓｉｃａｌ  Ｄｏｗｎｌｉｎｋ  Ｃｏｎｔｒｏｌ  Ｃｈａｎｎｅｌ）のＭ個（Ｍは２以上の整数）のＣＣＥ（Ｃｏｎｔｒｏｌ  Ｃｈａｎｎｅｌ  Ｅｌｅｍｅｎｔ）を基本リソースとし、前記基本リソースにＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）が送信されるＰＵＣＣＨ（Ｐｈｙｓｉｃａｌ  Ｕｐｌｉｎｋ  Ｃｏｎｔｒｏｌ  Ｃｈａｎｎｅｌ）のリソースを対応付け、前記基本リソースの少なくとも一部を前記Ｄｏｗｎｌｉｎｋ  ｇｒａｎｔに割り当て、前記基本リソースの少なくとも一部が割り当てられたＤｏｗｎｌｉｎｋ  ｇｒａｎｔと、前記Ｄｏｗｎｌｉｎｋ  ｇｒａｎｔに割り当てた基本リソースのいずれかに対応するＰＵＣＣＨのリソースとを対応付けるリソース割当手段と、
前記割り当てたＤｏｗｎｌｉｎｋ  ｇｒａｎｔを移動局に送信する第１の制御情報送信手段と
を有し、
前記リソース割当手段は、Ｄｏｗｎｌｉｎｋ  ｇｒａｎｔを送信するのに用いられる単位リソースの個数うち、最大の個数をＭに設定する
ことを特徴とする基地局。
【請求項５５】
Ｄｏｗｎｌｉｎｋ  ｇｒａｎｔが送信されるＰＤＣＣＨ（Ｐｈｙｓｉｃａｌ  Ｄｏｗｎｌｉｎｋ  Ｃｏｎｔｒｏｌ  Ｃｈａｎｎｅｌ）のＭ個（Ｍは２以上の整数）のＣＣＥ（Ｃｏｎｔｒｏｌ  Ｃｈａｎｎｅｌ  Ｅｌｅｍｅｎｔ）を基本リソースとし、前記基本リソースにＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）が送信されるＰＵＣＣＨ（Ｐｈｙｓｉｃａｌ  Ｕｐｌｉｎｋ  Ｃｏｎｔｒｏｌ  Ｃｈａｎｎｅｌ）のリソースを対応付け、前記基本リソースの少なくとも一部を前記Ｄｏｗｎｌｉｎｋ  ｇｒａｎｔに割り当て、前記基本リソースの少なくとも一部が割り当てられたＤｏｗｎｌｉｎｋ  ｇｒａｎｔと、前記Ｄｏｗｎｌｉｎｋ  ｇｒａｎｔに割り当てた基本リソースのいずれかに対応するＰＵＣＣＨのリソースとを対応付けるリソース割当手段と、
前記割り当てたＤｏｗｎｌｉｎｋ  ｇｒａｎｔを移動局に送信する第１の制御情報送信手段と
を有し、
前記リソース割当手段は、Ｄｏｗｎｌｉｎｋ  ｇｒａｎｔを送信するのに用いられる単位リソースの個数うち、最小の個数をＭに設定する
ことを特徴とする基地局。
【請求項５６】
Ｄｏｗｎｌｉｎｋ  ｇｒａｎｔが送信されるＰＤＣＣＨ（Ｐｈｙｓｉｃａｌ  Ｄｏｗｎｌｉｎｋ  Ｃｏｎｔｒｏｌ  Ｃｈａｎｎｅｌ）のＭ個（Ｍは２以上の整数）のＣＣＥ（Ｃｏｎｔｒｏｌ  Ｃｈａｎｎｅｌ  Ｅｌｅｍｅｎｔ）を基本リソースとし、前記基本リソースにＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）が送信されるＰＵＣＣＨ（Ｐｈｙｓｉｃａｌ  Ｕｐｌｉｎｋ  Ｃｏｎｔｒｏｌ  Ｃｈａｎｎｅｌ）のリソースを対応付け、前記基本リソースの少なくとも一部を前記Ｄｏｗｎｌｉｎｋ  ｇｒａｎｔに割り当て、前記基本リソースの少なくとも一部が割り当てられたＤｏｗｎｌｉｎｋ  ｇｒａｎｔと、前記Ｄｏｗｎｌｉｎｋ  ｇｒａｎｔに割り当てた基本リソースのいずれかに対応するＰＵＣＣＨのリソースとを対応付けるリソース割当手段と、
前記割り当てたＤｏｗｎｌｉｎｋ  ｇｒａｎｔを移動局に送信する第１の制御情報送信手段と
を有し、
前記リソース割当手段は、Ｄｏｗｎｌｉｎｋ  ｇｒａｎｔを送信するのに用いられる単位リソースの個数に応じてＭを規則的に変化させる
ことを特徴とする基地局。
【請求項５７】
基地局からのＤｏｗｎｌｉｎｋ  ｇｒａｎｔが送信されるＰＤＣＣＨ（Ｐｈｙｓｉｃａｌ  Ｄｏｗｎｌｉｎｋ  Ｃｏｎｔｒｏｌ  Ｃｈａｎｎｅｌ）のＭ個（Ｍは、２以上の整数であり、Ｄｏｗｎｌｉｎｋ  ｇｒａｎｔを送信するのに用いられる単位リソースの個数うち、最大の個数）の単位リソースを基本リソースとし、前記基本リソースとＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）が送信されるＰＵＣＣＨ（Ｐｈｙｓｉｃａｌ  Ｕｐｌｉｎｋ  Ｃｏｎｔｒｏｌ  Ｃｈａｎｎｅｌ）のリソースとが対応付けられ、前記基本リソースの少なくとも一部を用いて送信されてくるＤｏｗｎｌｉｎｋ  ｇｒａｎｔを受信し、受信したＤｏｗｎｌｉｎｋ  ｇｒａｎｔと対応するＰＵＣＣＨのリソースを用いて、ＡＣＫ又はＮＡＣＫを送信する移動局であって、
前記基本リソース又は前記基本リソースを構成する単位リソースと、ＡＣＫ又はＮＡＣＫを送信するＰＵＣＣＨのリソースとの対応関係の情報である対応関係情報と、
受信したＤｏｗｎｌｉｎｋ  ｇｒａｎｔの基本リソース又は前記基本リソースを構成する単位リソースの情報と、前記対応関係情報とに基づいて、前記受信したＤｏｗｎｌｉｎｋ  ｇｒａｎｔと対応するＰＵＣＣＨのリソースを判断する制御情報送信手段と
を有することを特徴とする移動局。
【請求項５８】
基地局からのＤｏｗｎｌｉｎｋ  ｇｒａｎｔが送信されるＰＤＣＣＨ（Ｐｈｙｓｉｃａｌ  Ｄｏｗｎｌｉｎｋ  Ｃｏｎｔｒｏｌ  Ｃｈａｎｎｅｌ）のＭ個（Ｍは、２以上の整数であり、Ｄｏｗｎｌｉｎｋ  ｇｒａｎｔを送信するのに用いられる単位リソースの個数うち、最小の個数）の単位リソースを基本リソースとし、前記基本リソースとＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）が送信されるＰＵＣＣＨ（Ｐｈｙｓｉｃａｌ  Ｕｐｌｉｎｋ  Ｃｏｎｔｒｏｌ  Ｃｈａｎｎｅｌ）のリソースとが対応付けられ、前記基本リソースの少なくとも一部を用いて送信されてくるＤｏｗｎｌｉｎｋ  ｇｒａｎｔを受信し、受信したＤｏｗｎｌｉｎｋ  ｇｒａｎｔと対応するＰＵＣＣＨのリソースを用いて、ＡＣＫ又はＮＡＣＫを送信する移動局であって、
前記基本リソース又は前記基本リソースを構成する単位リソースと、ＡＣＫ又はＮＡＣＫを送信するＰＵＣＣＨのリソースとの対応関係の情報である対応関係情報と、
受信したＤｏｗｎｌｉｎｋ  ｇｒａｎｔの基本リソース又は前記基本リソースを構成する単位リソースの情報と、前記対応関係情報とに基づいて、前記受信したＤｏｗｎｌｉｎｋ  ｇｒａｎｔと対応するＰＵＣＣＨのリソースを判断する制御情報送信手段と
を有することを特徴とする移動局。
【請求項５９】
基地局からのＤｏｗｎｌｉｎｋ  ｇｒａｎｔが送信されるＰＤＣＣＨ（Ｐｈｙｓｉｃａｌ  Ｄｏｗｎｌｉｎｋ  Ｃｏｎｔｒｏｌ  Ｃｈａｎｎｅｌ）のＭ個（Ｍは、２以上の整数であり、第１の制御情報を送信するのに用いられる単位リソースの個数に応じて、規則的に変化する）の単位リソースを基本リソースとし、前記基本リソースとＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）が送信されるＰＵＣＣＨ（Ｐｈｙｓｉｃａｌ  Ｕｐｌｉｎｋ  Ｃｏｎｔｒｏｌ  Ｃｈａｎｎｅｌ）のリソースとが対応付けられ、前記基本リソースの少なくとも一部を用いて送信されてくるＤｏｗｎｌｉｎｋ  ｇｒａｎｔを受信し、受信したＤｏｗｎｌｉｎｋ  ｇｒａｎｔと対応するＰＵＣＣＨのリソースを用いて、ＡＣＫ又はＮＡＣＫを送信する移動局であって、
前記基本リソース又は前記基本リソースを構成する単位リソースと、ＡＣＫ又はＮＡＣＫを送信するＰＵＣＣＨのリソースとの対応関係の情報である対応関係情報と、
受信したＤｏｗｎｌｉｎｋ  ｇｒａｎｔの基本リソース又は前記基本リソースを構成する単位リソースの情報と、前記対応関係情報とに基づいて、前記受信したＤｏｗｎｌｉｎｋ  ｇｒａｎｔと対応するＰＵＣＣＨのリソースを判断する制御情報送信手段と
を有することを特徴とする移動局。
【国際調査報告】
2009022565.tif 000027
2009022565.tif 000028
2009022565.tif 000029
2009022565.tif 000030
2009022565.tif 000031
2009022565.tif 000032
2009022565.tif 000033
2009022565.tif 000034